(57)【特許請求の範囲】
【請求項１】
眼科レンズであって、
光吸収性成分を含む、重合された架橋可能な材料の複数のボクセルを含む第１部分であって、前記第１部分が、第１屈折率を含む第１領域及び第２屈折率を含む第２領域を含む、第１部分と、
前記架橋可能な材料のゲル化点を超えて重合された架橋可能な材料の層状体積を含む、第２部分と、を含む、眼科レンズ。
【請求項２】
架橋可能な材料の１つ又は２つ以上の更なる層状体積を含む、第３部分を更に含む、請求項１に記載の眼科レンズ。
【請求項３】
前記架橋可能な材料の層状体積が、ボクセル単位以外の架橋パターンを含む、請求項１に記載の眼科レンズ。
【請求項４】
前記第２部分がシリコーンを更に含む、請求項１に記載の眼科レンズ。
【請求項５】
前記第１部分が第１光学表面を含む、請求項１に記載の眼科レンズ。
【請求項６】
前記第２部分が第２光学表面を含む、請求項５に記載の眼科レンズ。
【請求項７】
第１部分が、化学放射線の複数の放射線への反応性混合物の暴露によって形成され、前記化学放射線の各放射線は、１つの源から生じており、前記各放射線は、前記架橋可能な材料の所定の部分に向けて所定の時間反射される、請求項３に記載の眼科レンズ。
【請求項８】
前記架橋可能な材料の所定の部分に向けて所定の時間反射される化学放射線の各放射線が、所定の波長を含む、請求項７に記載の眼科レンズ。
【請求項９】
前記第２部分が、複数点から生じる化学放射線の複数の放射線への反応性混合物の暴露によって形成される、請求項８に記載の眼科レンズ。
【請求項１０】
前記重合された架橋可能な材料のボクセルによって形成された１つ又は２つ以上の凹領域を更に含む、請求項７に記載の眼科レンズ。
【請求項１１】
前記重合された架橋可能な材料のボクセルによって形成された１つ又は２つ以上の凸領域を更に含む、請求項７に記載の眼科レンズ。
【請求項１２】
前記ゲル化点を超えて重合された架橋可能な材料の層状体積が、前記重合された架橋可能な材料のボクセルによって形成された前記凹領域に対して等角である、請求項１０に記載の眼科レンズ。
【請求項１３】
前記ゲル化点を超えて重合された架橋可能な材料の層状体積が、前記重合された架橋可能な材料のボクセルによって形成された前記凹領域に対して非等角である、請求項１０に記載の眼科レンズ。
【請求項１４】
前記各ボクセルが、第１端部及び第２端部を含み、前記ゲル化点を超えて重合された架橋可能な材料の層状体積を含む前記第２部分が、本質的に前記各第２端部を被覆する、請求項１に記載の眼科レンズ。
【請求項１５】
前記第１部分が、基材の表面に沿って形成された非隣接パターンを含む、請求項５に記載の眼科レンズ。
【請求項１６】
前記レンズの外周部が、非円形を本質的に含む、請求項５に記載の眼科レンズ。
【請求項１７】
前記レンズの外周部が、楕円形を本質的に含む、請求項５に記載の眼科レンズ。
【請求項１８】
前記レンズがトーリック形状を含む、請求項５に記載の眼科レンズ。
【発明の詳細な説明】
【技術分野】
【０００１】
（関連出願の相互参照）
本出願は、２０１０年３月２３日出願の米国特許出願番号第１２／７２９，３３４号及び２００９年３月３１日出願の同第６１／１６４，９９５号の優先権を主張するものである。
【０００２】
（発明の分野）
本発明は、眼科レンズの製造、より具体的には、いくつかの実施形態において、自由形成表面及び異なる屈折率の領域を有する眼科レンズの形成のための装置を説明する。
【背景技術】
【０００３】
モノマー材料が、２つ以上の対向する鋳型部分の光学表面の間に画定されるキャビティ内に配置される、注型成形技法を介して、眼科レンズを製造することは既知である。ヒドロゲルを有用な物品（例えば眼科レンズ）に作るために用いる多部分鋳型は、例えば、眼科レンズの後側湾曲部に対応する凸部部分を伴う第１の鋳型部分と、眼科レンズの前側湾曲部に対応する凹部部分を伴う第２の鋳型部分とを備えることができる。
【０００４】
かかる鋳型部分を使用してレンズを調製するために、未硬化ヒドロゲルレンズ配合物が、プラスチック製の使い捨て前側湾曲鋳型部分と、プラスチック製の使い捨て後側湾曲鋳型部分との間に置かれ、重合される。しかしながら、そこから派生する眼科レンズの設計は、使用される鋳型の設計に制限される。
【発明の概要】
【発明が解決しようとする課題】
【０００５】
したがって、特定の患者若しくは目的の一方又は両方のためにカスタマイズすることができるように、所定の寸法及び形状の眼科レンズの形成につながる更なる方法及び装置を有することが望ましい。
【課題を解決するための手段】
【０００６】
本発明は、重合された架橋可能な材料の複数のボクセルを含む第１部分と、ゲル化点より上で重合された架橋可能な材料の層状体積を有する第２部分と、を含む眼科レンズを目的とする。更に、本発明に従って形成されるレンズの異なる領域は、視力補正を更に促進するために、異なる屈折率を含んでもよい。
【０００７】
一般に、光吸収性成分を含む反応性混合物は、弓状の表面を有する基材を介して化学放射線の源に暴露される。弓状の表面の少なくとも一部は、光学品質表面を含むことができる。化学放射線は、所定のパターンで反応性混合物の一部を硬化させるように制御可能である。所定のパターンは、光学品質基材表面に沿って形成された１つの表面と、反応性混合物の体積内に自由形成された第２表面と、を含むことができる。
【０００８】
本発明に係るレンズは、光吸収性成分を含むことができる。光吸収性成分は複数のボクセルの形成に有用であり得る。各ボクセルは、第１端部及び第２端部を含んでもよく、第２部分は、各第２端部を本質的に被覆する、ゲル化点より上で重合された架橋可能な材料の層状体積を含んでもよい。様々な実施形態は、第１部分及び第２部分の一方、又は両方において光学表面を含むことができる。
【０００９】
重合されたレンズ材料のボクセルは、複数の化学放射線への架橋可能な材料の暴露を介して形成することができ、化学放射線の各放射線は、１つの源から生じており、反応性混合物の所定の部分に向けて所定の時間反射される。反応性混合物の所定の部分に向けて所定の時間反射することができる化学放射線の各放射線は、所定の波長を含む。いくつかの実施形態では、第２部分は、複数点から生じる複数の化学放射線への反応性混合物の暴露によって形成される。
【００１０】
いくつかの更なる実施形態は、１つ又は２つ以上の特徴（例えば、重合された架橋可能な材料のボクセルによって形成されたトラフ；重合された架橋可能な材料のボクセルによって形成された１つ又は２つ以上の凸領域）を有するレンズを含んでもよい。
【００１１】
本発明に従って形成されたレンズは、球状であってもよく、又は非球状であってもよい。第１表面は、光学品質光学ゾーンを含んでもよく、第２表面は、アーチファクトを含んでもよい。
【００１２】
いくつかの実施形態では、レンズは、流動性かつ構造的の両方の領域を含むレンズ前駆体から形成され得る。好ましい実施形態では、構造領域は、主にボクセルリソグラフィセクションの動作によって決定されるが、しかしながら、流動域は、ボクセルリソグラフィセクションによっても影響を受けるが、数々の方法で決定することができる。別の実施形態は、レンズ前駆体中間生成物を介することなく、ボクセルリソグラフィセクションの効果からレンズを形成し得る。
【図面の簡単な説明】
【００１３】
【図１】本発明のいくつかの実施形態を実践するために使用され得る方法工程を図示する。
【図２】本発明のいくつかの実施形態を実践するために使用され得る追加方法工程を図示する。
【図３】形成及び固定化放射線の吸光度と透過率との間の関係の一例を図示する。
【図４】本明細書に開示される発明によって生成されるレンズの一実施例を図示する。
【図５】ボクセルに基づいたリソグラフィを含む、本発明のいくつかの実施形態を実践するのに有用であり得る、装置構成要素を図示する。
【図６】本発明のいくつかの実施形態を実践するのに有用であり得る、例示的な光源装置構成要素を図示する。
【図７】本発明のいくつかの実施形態を実践するのに有用であり得る、例示的な光学装置構成要素を図示する。
【図８】本発明のいくつかの実施形態を実践するのに有用であり得る、例示的なデジタルミラー装置構成要素を図示する。
【図９】本発明のいくつかの実施形態を実践するのに有用であり得る、追加装置構成要素を図示する。
【図１０】本発明のいくつかの実施形態を実践するのに有用であり得る、例示的な形成光学機器を図示する。
【図１１】本発明のいくつかの実施形態を実践するのに有用であり得る、例示的なモノマーリザーバを図示する。
【図１２】本発明のいくつかの実施形態を実践するのに有用であり得る、例示的な材料除去装置を図示する。
【図１３】本発明のいくつかの実施形態を実践するのに有用であり得る、例示的な材料除去装置の全体的動作システムを図示する。
【図１４】本発明のいくつかの実施形態を実践するのに有用であり得る、例示的な安定化及び固定化装置を図示する。
【図１５】本発明のいくつかの実施形態を実践するのに有用であり得る、例示的な計測システムを図示する。
【図１６】本発明のいくつかの実施形態を実践するのに有用であり得る、例示的な水和及び除去システムを図示する。
【図１７】ボクセル形成及び流動性レンズ反応性媒体の層状体積を有する、レンズ前駆体の例示的な断面図を図示する。
【図１８】例示的なチャネルアーチファクトを有するレンズ前駆体を図示する。
【図１９】化学放射線へのレンズ前駆体の暴露によって形成されたレンズを図示する。
【発明を実施するための形態】
【００１４】
本発明は、レンズを形成するための、及びレンズ前駆体を形成するための方法及び装置を提供する。以下の項において、本発明の実施形態がより詳細に説明される。好ましい実施形態及び代替の実施形態の両方の説明は、完全ではあるが、例示的な実施形態に過ぎず、変形、修正、及び代替が当業者にとって明白であり得ることが理解される。したがって、例示的な実施形態は、請求項によって定義される、基礎となる発明の態様の幅を制限しない。
【００１５】
用語解説
本発明を目的とする本説明及び特許請求の範囲において、以下の定義が適用される、様々な用語が使用され得る。
【００１６】
本明細書で使用される場合、「化学放射線」は、化学反応を起こすことができる放射線を指す。
【００１７】
本明細書で使用される場合、「弓状の」は、弓のような曲線又は屈曲を指す。
【００１８】
本明細書に言及される「ベールの法則」（「ランベルト・ベールの法則」と称される場合もある）は、Ｉ（ｘ）／Ｉ０＝ｅｘｐ（−αｃｘ）であり、式中、Ｉ（ｘ）は、照射される表面からの距離ｘの関数としての強度であり、Ｉ０は、表面での入射強度であり、αは、吸収成分の吸収係数であり、ｃは、吸収成分の濃度である。
【００１９】
本明細書で使用される場合、「コリメートする」は、入力として放射線を受信する装置からの出力として進行する、光等の放射線の円錐角を限定することを意味し、いくつかの実施形態では、円錐角は、進行する光線が平行となるように制限され得る。したがって、「コリメーター」は、この機能を実施する装置を含み、「コリメートされた」は、放射線に対する効果を説明する。
【００２０】
本明細書で使用される場合、「ＤＭＤ」、デジタルマイクロミラーデバイスは、ＣＭＯＳ  ＳＲＡＭの全体に機能的に実装された移動可能なマイクロミラーのアレイからなる双安定空間光変調器である。それぞれのミラーは、反射光を誘導するために、ミラーの下のメモリセルにデータを読み込むことによって独立して制御され、ビデオデータのピクセルをディスプレイ上のピクセルに空間的にマッピングする。データは、ミラーの状態が＋Ｘ度（オン）又は−Ｘ度（オフ）のいずれかである２進数方式で、ミラーの傾斜角を静電気的に制御する。現在のデバイスは、Ｘを、１０度又は１２度（公称）のいずれかにすることができる。（オン）ミラーによって反射される光は、次いで投影レンズを通過してスクリーン上へ進む。光は、反射されて暗視野を生成し、画像の黒レベルフロアを画定する。画像は、観測者によって統合されるのに十分な速い速度でのオンレベルとオフレベルとの間のグレースケール変調によって生成される。ＤＭＤ（デジタルマイクロミラーデバイス）は、ＤＬＰ投影システムである場合がある。
【００２１】
本明細書で使用される場合、「ＤＭＤスクリプト」は、空間光変調器のための制御プロトコル、及びまた、例えば、いずれかがその時点の一連のコマンドシーケンスを含み得る、光源又はフィルタホイール等の、いずれかのシステム構成要素の制御信号を指すものとする。頭文字ＤＭＤの使用は、この用語の使用を、空間光変調器のいずれか１つの特定種類又は寸法に限定することを意味しない。
【００２２】
本明細書で使用される場合、「固定化放射線」は、レンズ前駆体又はレンズを含む、本質的に全ての反応性混合物の１つ又は２つ以上の重合及び架橋への十分な化学放射線を指す。
【００２３】
本明細書で使用される場合、「流動性レンズ反応性媒体」は、天然の形態、反応した形態、又は部分的に反応した形態のいずれかで流動性であり、更なる処理を受けて眼科レンズの一部に形成される、反応性混合物を意味する。
【００２４】
「自由形成」が本明細書で使用される場合、「自由形成された」又は「自由形成」は、反応性混合物の架橋によって形成され、注型成形に従って成形されない表面を指す。
【００２５】
「ゲル化点」は、本明細書で使用される場合、ゲル又は不溶分画が最初に観測される点を指すものとする。「ゲル化点」は、液体の重合混合物が、それが固体化する範囲内で架橋される変換の範囲である。ゲル化点は、ポリマー反応を異なる時点で停止させ、結果として生じるポリマーを分析して残留不溶性ポリマーの重量分画を決定する、ソックスレー実験を使用して決定することができる。ゲルが存在しない点のデータを推定することができる。ゲルが存在しないこの点が、ゲル化点である。また、ゲル化点は、反応中の反応混合物の粘度を分析することによって決定することもできる。粘度は、反応混合物がプレート間にある状態で、平行プレートレオメーターを使用して測定することができる。少なくとも１つのプレートは、重合に使用される波長の放射線に対して透明であるべきである。粘度が無限大に到達する点が、ゲル化点である。ゲル化点は、所与のポリマー系及び具体的な反応条件と同一の変換度で生じる。
【００２６】
「レンズ」が本明細書で使用される場合、「レンズ」は、眼内又は眼上にある、いずれかの眼科デバイスを指す。これらの装置は光学補正をもたらすことができるか、又は美容用であっても良い。例えば、レンズという用語は以下のものを指すことができる。コンタクトレンズ、眼内レンズ、オーバーレイレンズ、眼用挿入物、光学挿入物、又は他の同様の、視力が補正若しくは変更される装置か、又は視力を妨げることなく目の生理機能が美容的に拡張される（例えば、虹彩色）装置。いくつかの実施形態では、本発明の好ましいレンズは、シリコーンヒドロゲル類、及びフルオロヒドロゲル類を含むが、これらに限定されない、シリコーンエラストマー類又はヒドロゲル類から製造される、ソフトコンタクトレンズである。
【００２７】
本明細書で使用される場合、「レンズ前駆体」は、レンズ前駆体形態、及びレンズ前駆体形態と接触する流動性レンズ反応性混合物からなる複合物体を意味する。例えば、いくつかの実施形態では、流動性レンズ反応性媒体は、反応性混合物の体積内でレンズ前駆体形態を生成する過程で形成される。レンズ前駆体形態、及び接着した流動性レンズ反応性媒体を、レンズ前駆体形態を生成するために使用される反応性混合物の体積から分離することによって、レンズ前駆体を作り出すことができる。更に、レンズ前駆体は、相当量の流動性レンズ反応性混合物を除去するか、又は相当量の流動性レンズ反応性媒体を非流動性組み込み材料に変換するか、のいずれかによって、異なる実体に変換することができる。
【００２８】
本明細書で使用される場合、「レンズ前駆体形態」は、眼科レンズへの更なる処理を受けて組み込まれるものと一致する、少なくとも１つの光学品質表面を有する、非流動性物体を意味する。
【００２９】
本明細書で使用される場合、「レンズ形成混合物」は、「反応性混合物」、「反応性モノマー混合物」、又は「架橋可能な材料」と互換的に使用されてもよく、眼科レンズ又は眼科レンズの部分を形成するために、硬化及び／又は架橋され得るモノマー又はプレポリマー材料指す。様々な実施形態は、ＵＶ遮断剤、染料、光開始剤、又は触媒、及びコンタクト若しくは眼内レンズ等の眼科レンズに望まれ得る他の添加剤等の１つ又は２つ以上の添加剤を有するレンズ形成混合物を含むことができる。
【００３０】
本明細書で使用される場合、「鋳型」は、未硬化配合物からレンズを形成するために使用され得る、剛性又は半剛性の物体を指す。いくつかの好ましい鋳型は、前側湾曲鋳型部分及び後側湾曲鋳型部分を形成する、２つの鋳型部分を含む。
【００３１】
「放射線吸収成分」が本明細書で使用される場合、この用語は、反応性モノマー混合配合物に組み込むことができ、特定の波長帯の放射線を吸収することができる、放射線吸収成分を指す。
【００３２】
「反応性混合物」（また、本明細書において、レンズ形成混合物、架橋可能媒体、又は反応性モノマー混合物と称される場合もあり、「レンズ形成混合物」と同一の意味を有する。
【００３３】
「鋳型から取り外す」が本明細書で使用される場合、「鋳型から取り外す」は、レンズが、鋳型から完全に分離した状態、又は穏やかな振動によって取り外すか、若しくは綿棒を用いて押し外すことができるように、ほんの軽く付着した状態のいずれかとなることを意味する。
【００３４】
本明細書で使用される場合、「ステレオリソグラフィレンズ前駆体」は、レンズ前駆体形態が、ステレオリソグラフィ技術を使用することによって形成された、レンズ前駆体を意味する。
【００３５】
「基材」：上に他の実体が定置又は形成される物理的実体。
【００３６】
本明細書で使用される場合、「過渡レンズ反応性媒体」は、流動性又は非流動性形態でレンズ前駆体形態上に残存し得る、反応性混合物を意味する。しかしながら、過渡レンズ反応性媒体は、眼科レンズに組み込まれる前に、洗浄、溶媒和、及び水和工程の１つ又は２つ以上によって大幅に除去される。したがって、明確化のため、レンズ前駆体形態及び過渡レンズ反応性混合物の組み合わせは、レンズ前駆体を構成しない。
【００３７】
「ボクセル」が本明細書で使用される場合、「ボクセル」又は「化学放射線ボクセル」は、３次元空間の規則的な格子上の値を示す体積要素である。ボクセルは、３次元ピクセルと考えることができるが、しかしながら、ピクセルが２Ｄ画像データを示す一方、ボクセルは、第３の次元を含む。更に、ボクセルは、医療及び科学的データの視覚化並びに分析にしばしば使用される一方、本発明では、ボクセルは、反応性混合物の特定体積に到達する、ある量の化学放射線の境界を画定し、それによって具体的な反応性混合物の体積の架橋又は重合の速度を制御するために使用される。例として、ボクセルは、本発明では、化学放射線が、それぞれのボクセルの共通軸次元内の２Ｄ表面に対して垂直に向けられ得る、２Ｄ鋳型表面に対して等角である単一層内に存在すると見なされる。一実施例として、具体的な反応性混合物の体積は、７６８×７６８ボクセルに従って、架橋又は重合されてもよい。
【００３８】
「ボクセルに基づいたレンズ前駆体」が本明細書で使用される場合、「ボクセルに基づいたレンズ前駆体」は、レンズ前駆体形態がボクセルに基づいたリソグラフィ技術を使用することによって形成された、レンズ前駆体を意味する。
【００３９】
「Ｘゲル」が本明細書で使用される場合、Ｘゲルは、ゲル分画がゼロを超えるようになる、架橋可能な反応性混合物の化学変換の程度である。
【００４０】
図１を参照すると、本発明のいくつかの実施形態のブロック図１００が図示される。様々な態様は、例えば、ボクセルに基づいたリソグラフィ手順１１０、別の形成手順１２０、レンズ前駆体処理手順１３０、後処理手順１４０、並びに計測及びフィードバック手順１５０を含む。レンズ前駆体１６０及び眼科レンズ１７０を含む２つの物品が、ブロック図で特定されている。
【００４１】
レンズ前駆体及び眼科レンズ１７０を形成する方法及び装置は、同時係属の米国特許出願に詳細に記載されており、レンズ前駆体及び眼科レンズ１７０を形成するための方法及び装置は、同時係属の米国特許出願第１２／１９４，９８１号、表題「Ａｐｐａｒａｔｕｓ  ｆｏｒ  Ｆｏｒｍａｔｉｏｎ  ｏｆ  ａｎ  Ｏｐｈｔｈａｌｍｉｃ  Ｌｅｎｓ  Ｐｒｅｃｕｒｓｏｒ  ａｎｄ  Ｌｅｎｓ」（２００８年８月２０日出願）、及び米国特許出願第１２／１９５，１３２号、表題「Ｍｅｔｈｏｄｓ  ｆｏｒ  Ｆｏｒｍａｔｉｏｎ  ｏｆ  ａｎ  Ｏｐｈｔｈａｌｍｉｃ  Ｌｅｎｓ  Ｐｒｅｃｕｒｓｏｒ  ａｎｄ  Ｌｅｎｓ」（２００８年８月２０日出願）、及び米国特許出願第１２／３６３，１３８号、表第「Ｏｐｈｔｈａｌｍｉｃ  Ｌｅｎｓ  Ｐｒｅｃｕｒｓｏｒ  ａｎｄ  Ｌｅｎｓ」（２００９年１月３０日出願）、及び米国特許出願第１２／３９６，０１９号、表題「Ｆｒｅｅ  Ｆｏｒｍ  Ｏｐｈｔｈａｌｍｉｃ  Ｌｅｎｓ」（２００９年３月２日出願）に詳細に記載されており、それぞれの内容は信頼され、ここに援用するものである。
【００４２】
示されているように、単一方向に進む矢印は、いくつかの実施形態がとり得る一般的な方向を含み得、２つの頭を有する矢印は、材料、データ、及び情報のいくつか又は全てが、様々な手順セクションから中心的測定及びフィードバックセクションへ、及びその逆へ流れることができることを示す。
【００４３】
ボクセルに基づいたリソグラフィ手順
ここで図１のボクセルに基づいたリソグラフィ方法１１０を再び参照すると、本発明のいくつかの実施形態に従ってレンズを作製する最初の工程は、アルゴリズム計算を実施するために、レンズパラメーターをコンピュータ又は他のプロセッサに入力することを含む。いくつかの実施形態では、このようなパラメーターは、患者の目の光学表面上の光学収差、又は患者の視覚システムの他の物理的若しくは神経学的態様を測定することによって入手され得る。これらの測定値は、形成されるレンズに要求される波面特性に変化させることができる。他の実施形態では、レンズ製造パラメーターを決定するために、アルゴリズムに入力され得る理論上のレンズ波面特性が存在し得る。
【００４４】
１１５において、アルゴリズムは、上述される入力パラメーターを受け取り、いくつかの実施形態では、パラメーターを以前に製造されたレンズに関連付ける。ここで、空間光変調器に通信される暴露「動画」又はスクリプトのための一連の「フレーム」が決定されてもよい。
【００４５】
「ＤＭＤ」スクリプトを含む、特定のボクセル要素のアルゴリズム出力を、その時点で予定される光反射プロファイルに変換するために使用することができる数々の手順も存在し得る。例として、アルゴリズムが望む全強度値は、全時間中に光照明システムの入力強度が反射される一連の時間刻みとして、反応性混合物のボクセル位置に供給されてもよい。全「オン」工程の積分強度は、次いで、ミラー要素に部分値が書き込まれ、したがってミラーが、全オンレベル未満であるデューティーサイクル「オン」レベルを有する、別の時間刻みによって補完されてもよく、全体として反応性混合物に暴露される残りの時間刻みでは、この特定のボクセル要素は、結果として残りの持続時間の間、「オフ」となり得る。別の手順は、供給される多数の刻み又は「フレーム」の強度の平均値を取得する工程と、その値を使用して、ＤＭＤに送信されるフレームのバルクに値を設定する工程と、を含み得る。前述の装置の記述に記載される、一般的な空間光変調器も同様に、この強度及び時間暴露制御を作り出す意図と関連させるための手順の実施形態を有することが、当業者にとって明らかであり得る。
【００４６】
前述の方法が、空間的照明デバイスの動作によって空間的照明デバイスに適用される固定強度を変調する工程に関連する所与の実施例である一方、より高度な手順により、光源からの強度が、光濾過を用いて源又は光学機器システム内のいずれかで変調されるかどうかが導かれ得る。更なる実施形態は、照明システム構成要素内及び空間的照明変調器内の両方での強度制御の組み合わせに由来し得る。更なる実施形態は、照明の波長の制御に由来し得る。
【００４７】
一般的な意味で、いずれかの寸法のいずれかの空間光変調器への制御信号、及びまた、例として、光源、フィルタホイール等のいずれかのシステム構成要素の制御信号と関連すると見なされるべき「ＤＭＤ」スクリプトを形成する方法は、したがって、広くは、その時点で一連のプログラムされたコマンドシーケンスを作成する工程を含み得る。化学放射線の詳細、採用される光学機器システムの詳細、及び反応性混合物を含む材料の詳細の多くの実施形態を包含する、制御信号プログラムを作成する方法に関連する、数々の実施形態が存在することが、当業者にとって明らかであり得る。
【００４８】
「ＤＭＤ」スクリプト及びアルゴリズムの詳細は、処理後に得られる結果との関係を有し得ることが留意され得る。決定的に重要なパラメーターのフィードバックは、後述され、かかる詳細な記述は、したがって保留される。そうは言うものの、ボックス１１５に示されるＤＭＤスクリプトを作成する方法に関して、ボクセルに基づいたリソグラフィ手順、並びにフィードバック及び計測手順を指す、及びそれとは逆を指す双頭矢印は、一部において、ＤＭＤスクリプトを作成するための方法でのこの情報交換における役割を指す。
【００４９】
レンズ前駆体を形成する手順への他のインプットは、システムのための反応性混合物の形成及び調製を含む。例えば、反応性混合物内でモノマー単位として作用する化学構成成分は、実施形態のうちのいくつかに記載されたように、紫外スペクトルの光に対して光反応性である化学物質を含んでもよい。しかしながら、ブゲール・ランベルト・ベールの法則の効果を考慮しない、いくつかの他の方法とは異なり、本発明における反応性混合物は、化学放射線を光反応的に吸収する分子を含む。同様に、システム内の構成要素は、電磁スペクトルの別の部分と整合させるために調整されてもよい。したがって、分子は、電磁スペクトルの大きな部分にわたって、化学放射線に対して感受性が高い。
【００５０】
いくつかの実施形態では、反応性混合物は、他の化学的構成成分と混合される、化学線に対して反応性の１つ又は２つ以上のモノマータイプを含む。非限定的な実施例を通じて、吸収化合物として、他の化学物質が含まれてもよい。反応性混合物へのかかる添加剤は、例えば、ボクセル要素によって画定される経路に沿った化学放射線の強度が、ブゲール・ランベルト・ベールの法則によってモデル化され得る方式で、ボクセルに基づいたリソグラフィを動作させる実施形態において重要であり得る。１つ又は２つ以上のかかる構成成分は、ボクセル要素内の形成プロセスの厚さの感度を概ね定義する更に、いくつかの実施形態は、関連のスペクトラル領域内で光を吸収する反応性混合物への、構成成分の添加を含むことができる。
【００５１】
他の実施形態では、反応性混合物の吸収成分は、上述したものに更なる複雑性を含め得る。例えば、化学放射線吸収体構成要素が、異なる方式で及び／又は異なる波長の光を吸収する、複数の分子を含むのは、本発明のいくつかの実施形態の範囲内である。追加の実施形態は、それら自体が複数の関連する吸収帯域を有する分子で構成される吸収体要素に由来し得る。手順の更なる実施形態は、モノマー及び吸収体を組み合わせた役割を有する、反応性混合物に構成要素を添加する工程を含み得る。同様に、この組み合わせられた役割は、いくつかの実施形態では、モノマーに化学反応が生じた後でさえ、吸収役割を継続できるようにする。あるいは、更なる実施形態は、化学線の反応が発生する時に、変更された吸収体の１つ又は２つ以上の特性を有する反応性混合物に添加された化学物質を含んでもよい。一般的な観点から、１つ又は２つ以上の関連スペクトル帯域で放射線を吸収するための成分と共に、反応性混合物を含む手順のための多くの実施形態は、本発明の範囲内であり得ることが、明らかであり得る。
【００５２】
反応性混合物を調製する方法に阻害物質成分の添加が含まれる場合、追加の実施形態が導かれ得る。この意味で、阻害物質化合物は、反応性混合物内に形成された化学生成物との反応における役割を有し得る。いくつかの実施形態では、化学放射線の吸収は、１つ又は２つ以上のフリーラジカル化学種を発生させ得る。阻害物質は、フリーラジカル種との反応において作用し、それによって、重合反応経路を終了させ得る。かかる実施形態の１つの効果は、光化学重合反応の持続時間を制限すること、又は他の方法で、重合反応が元の光吸収反応開始剤事象から離れて起こり得る距離を制限することであり得る。反応性混合物に阻害物質を添加するいくつかの実施形態は、したがって、ボクセル要素内での光子の収集が、開始する反応の空間的局所化に最終的に反映される、空間解像度に関連し得ることが明白であり得る。広くは、阻害物質の作用は、当該技術に関連する数々の実施形態を含み得る。
【００５３】
阻害するように作用し得る反応性混合物の化学種又は構成要素の種類は、当該技術の数々の他の実施形態を含む。吸収体と同様に、複数の重合経路の阻害において、阻害物質が二重の役割を有することは、本発明の範囲内である。更に、阻害物質は、モノマー分子自体の一部を含み得る。阻害物質は、温度又は光反応性感度を有してもよい。更に他の実施形態は、混合物内に溶存形態を含み得るが、純形態で気体、液体、又は固体特性を呈するため、純化学状態の阻害物質の性質に由来し得る。
【００５４】
反応性混合物を調製する方法は、反応開始剤成分の添加に関して、追加の実施形態を有し得る。反応性混合物は、光子の吸収において重合反応を促進する化学種を生成する、光吸収性成分を含んでもよい。いくつかの実施形態では、反応開始剤はまた、特定の帯域で一著しく吸収する分子を含んでもよい。更なる実施形態は、装置の複数の関連帯域で光吸収性である反応開始剤分子によって生じ得る。その吸収は、関連周波数の比較的広い帯域も含み得る。反応性混合物の反応開始剤成分が、反応性混合物内のモノマー分子種類の１つ又は２つ以上の中に存在する化学反応開始剤反応性に由来する場合、更なる実施形態も可能である。
【００５５】
ここで図１を再び参照すると、１１２において、反応性混合物の量は、形成光学機器によってアクセスされ得るリザーバ内への注入であってもよい。いくつかの実施形態では、リザーバは、開放された容器であり、他の実施形態では、リザーバは、他の鋳型部分との嵌合に好適な鋳型部分を含んでもよい。複数の鋳型部分を有する実施形態は、注型成形システムと類似している場合があるが、しかしながら、注型成形とは異なり、本発明は、成形システムを含む鋳型部分の少なくとも１つの曲率に従わない、自由成形方式において得られるレンズ表面の少なくとも一部分を形成する。
【００５６】
いくつかの実施形態では、開放されているか、又は閉鎖されているかに関わらず、リザーバに含まれた反応性混合物は、所望の濃度の溶存酸素又は他の気体を有するように平衡化され得る。いくつかの実施形態では、溶存した時に所望の濃度に均衡化するように存在する所定の酸素（又は他の気体）を含む雰囲気を有するエンクロージャ内に、反応性混合物の体積を含む導管を保管することによって、平衡が達成されてもよい。更なる実施形態は、膜技術を介して的確な量の酸素を、流動する反応性混合物に交換し得る、自動化器具を含み得る。反応性混合物の投与を、所望のレベルの組み込まれた気体に組み込む他の方法は、本発明の範囲に一致している。
【００５７】
いくつかの実施形態では、注入された反応性混合物の体積はここで、手動手段で、形成光学機器表面の付近に混合物を収容するための容器を含むリザーバに移動されてもよい。他の実施形態は、リザーバを反応性混合物で充填するための自動化機構を含んでもよい。本発明の更なる実施形態は、レンズ形成プロセスで必要に応じて使用され得る、充填使い捨て容器を含んでもよい。本発明の範囲は、全ての処理後に形成されるレンズを含む材料の量を超える、少なくともある量の反応性混合物で、形成光学機器表面の付近のリザーバを充填するためのある種の手順を使用することを含む。
【００５８】
１１６において、レンズが形成される。いくつかの実施形態においてベールの法則方式を用いてモデル化され得るように、反応性混合物は、画像化された化学放射線が通過した深さを基にして反応性混合物へ向けられた化学放射線の強度の著しい吸収性の減少があるように、吸収性要素を含む。
【００５９】
いくつかの実施形態では、化学放射線のＤＭＤスクリプトへの大量の反応性混合物の暴露に続いて、それを通じて、スクリプトが再生される形成光学機器は、残っている反応性混合物の体積から取り除かれる。いくつかの実施形態は、反応性混合物のリザーバから形成光学機器を単に持ち上げる工程を含んでもよい。他の実施形態では、リザーバは、形成光学機器から離して引き下げられてもよい。様々な実施形態はまた、反応性混合物の体積から形成光学機器に取り付けられた構造体の取り外しを含んでもよい。構造体には、例えばレンズ前駆体形態、レンズ前駆体、又はレンズを挙げることができる。
【００６０】
更なる実施形態は、ある程度の精度でかかる取り出しの速度を制御することができる器具を用いて、引き下げ又は持ち上げ工程のいずれかを自動化することに由来し得る。別の実施形態では、反応性混合物のリザーバは、いくつかの方式で排出され、結果として、取り付けられたレンズ前駆体形態を有する形成光学機器が反応性混合物から分離されてもよい。
【００６１】
本発明は、１つの光学ゾーンに含まれる複数のゾーンを有する眼科レンズを形成する装置及び方法を提供する。複数のゾーンは、屈折率における変化、及び光学ゾーンにおけるレンズ領域の形状によってもたらされる光学特性の１つ又は両方を含む。いくつかの実施形態では、異なる屈折率の領域は、患者の視力補正の必要性と一致するために、光学ゾーン内に空間的に分散される。
【００６２】
本発明は、化学放射線の変調を使用して、異なる硬化に基づいて、異なる屈折率の、１つ又は２つ以上の領域を作ることができ、また、反応性混合物の光吸収性特性に従って、化学放射線を調節し、光学品質を有する表面を形成することができる。本発明は、更なる態様では、バルクの反応性混合物質の異なる硬化を達成するために、紫外線を調整するか、又は減衰させる方法を提供する。したがって、いくつかの実施形態は、２つ又はそれ以上の光学ゾーンを含み、ここで、それぞれの光学ゾーンは、異なる屈折率及び異なる光学曲率の１つ又は両方によって形成され得る。
【００６３】
特に定義しない限り、本明細書で使用される技術的及び科学的用語はすべて、発明が属する当業者によって一般的に解釈されるものと同じ意味を有するものである。一般的に、本明細書で使用される命名法は、当該技術分野において既知であり一般的に使用されている。従来の方法は、例えば当該技術分において提供されるようなもの及び様々な一般的な参照文献など、これらの手順で使用される。用語が単数系で提供されるところでは、本発明者らは用語の複数形もまた考慮している。
【００６４】
「架橋可能及び／又は重合可能材料」は、生体適合性である架橋された及び／又は重合された材料を得るために、化学放射線によって重合され得る及び／又は架橋され得る材料を指す。化学放射線の例は、紫外線放射、イオン放射（例えばガンマ線又はＸ線放射）、マイクロ波照射等である。
【００６５】
「ポリマー」は、１つ又は２つ以上のモノマーを重合することによって形成される材料を意味する。
【００６６】
「プレポリマー」は、開始ポリマーよりもはるかに高い分子量を有する架橋されたポリマーを得るために、化学線放射によって、重合される及び／又は架橋されることができる開始ポリマーを指す。
【００６７】
本発明は一般的に、コンタクトレンズの製造及び設計に関する。一態様では、本発明は、照明スキームに従って、変動する光の強度を作るようにエネルギー源を調整することによって、所望の度を有するレンズの光学ゾーンを製造する方法を提供する。本発明に従って、照明スキームは、反応性混合物の光吸収特性と組み合わされてもよい。多様な光強度は、別個に反応性混合物を硬化して、硬化されたレンズ内のレンズの光学ゾーンにおける屈折率の空間分布を作る。エネルギー源（例えば、紫外線など）の強度は、例えば、光学波面を操作するために様々である。光学波面は、特定のパターン、例えばゼルニケ多項式基底セット又は老眼収差パターンに従って操作されてもよい。光学波面は、波面収差データ（aberrometry data）、角膜トポグラフィデータから導かれてもよく、又は老眼補正波面と共に計算されてもよい。
【００６８】
本発明のソフトコンタクトレンズは、例えば、シリコーン又はフッ素含有ヒドロゲル、又は屈折率の変調を可能にする材料特性を有するＨＥＭＡなど、反応性混合物から作製されるのが好ましい。反応性混合物は、本発明のコンタクトレンズの製造において使用され得るということが理解される。本出願に好ましい材料及び配合物は、純粋又は特別に編成されたヒドロゲル、好ましくは、特定の波長に暴露された時に光開始され得る放射線活性化架橋官能基含有のポリビニルアルコール（ＰＶＡ）からなることが好ましい。
【００６９】
いくつかの実施形態に従って、眼科レンズは、自由形態方法と組み合わされた両面成形（ＤＳＭ）プロセス、及び光吸収性プロセスを利用する装置、例えばベールの法則に関して明細書に記載されているようなものによって作製されてもよい。
【００７０】
レンズの設計は、レンズ形状内の材料バルク内ゾーン又は複数のゾーンの作製を含んでもよい。必要とされる補正のタイプによって、レンズ形状は、レンズの光学ゾーンにおいて単一の屈折率又は複数の屈折率を含んでもよい。一般に、最新のレンズは実質的に均一な屈折率を有する。
【００７１】
本発明は、単一の屈折率／複数の屈折率の空間分布を有するレンズを提供する。更に、レンズは、変動する屈折率勾配を有するゾーンを含んでもよい。表面形状光学設計と組み合わせた、又はこれの代わりに単一の屈折率又は複数の屈折率は、レンズの屈折率を作ることが好ましい。これらのゾーンの位置は、レンズの所望の光学設計によって決定される。一定の若しくは変動する屈折率勾配を有する１つのゾーン又は複数のゾーンは、単焦点レンズ、トーリックレンズ、二焦点レンズ、マルチフォーカルレンズ、又はこれらの任意の組み合わせを製造するために使用され得る。
【００７２】
レンズの度は、前面及び後面の曲率の関数である。特に、レンズの度は、ジオプターで測定され、これはレンズの焦点距離の逆数として考えることができる。
【００７３】
いくつかの実施形態では、レンズの表面は、焦点距離を変えるために変えられてもよく、これは視力を補正する。更に本発明は、屈折率の変更を提供し、眼科レンズの表面は、レンズを通過する光の焦点距離を変えるように作られる。
【００７４】
本発明は、球面又は非球面の表面である光学表面又は形状を提供する。球面は、光軸上に中心があってもよい。標準的な球面の「サグ」即ち「Ｚ座標」は、標準的な球面ｚ＝ｃｒ２  １＋１−（１＋ｋ）×ｃ２×ｒ２によって与えられ、ここで［００５５］ｃ＝曲率（半径の逆数）［００５６］ｒ＝レンズユニットにおける動径座標［００５７］ｋ＝円錐定数；円錐定数は双曲線に関しては−１未満、放物線に関しては−１、楕円に関しては−１〜０、球面に関しては０、及び扁平楕円体に関しては０超である。
【００７５】
本発明に含まれるいくつかのレンズの設計は、光学収差及び焦点ずれを無効にする又は補正してもよい。焦点ずれを補正する２つの基本的な方法は、レンズの表面プロファイルを設計すること、又は硬化によって、１つの屈折率若しくは複数の屈折率を変えることを伴う。本発明は、１つのレンズ内でレンズ表面の欠点及び設計を補正するために、レンズの光学ゾーンにおいて、１つ又は複数の屈折率の空間的な分散を提供する。レンズ設計は、ジェネリックレンズとして事前に設計されてもよく、あるいは、ユーザーのために特別に設計されてもよい。ユーザーのために眼科レンズが設定されている具体的な実施形態では、例えばＳｈａｃｋ−Ｈａｒｔｍａｎｎ式波面センサなど、眼科用波面センサを使用して、眼の上の凹凸を測定してもよい。
【００７６】
網膜から始まり、理想的な波面が生成され、これは眼の光路を通過する。波面センサは、狭ビーム光源、一般的にはレーザダイオード（即ちＬＥＤ）で窩を照明し、レンズレットアレイを通って分散した光の位置を記録する。波面（光学素子からの電磁波の光学波面）が眼を出るとき、それはセンサによる分析のための、眼の収差の完全なマップを含む。レンズレットアレイは、ほとんどコリメートされたビームをデジタルカメラ、典型的にＣＣＤ又はＣＭＯＳ画像機器上の点に細分化させる。いったん波面がセンサによって受信されると、複雑な一連の解析が実施され、眼の光路のより完全な写真を提供することができる。データは次いで、Ｚｅｒｎｉｋｅの基底セットに当てはめられ得る。
【００７７】
コンタクトレンズのための光学及び機械的設計が完了すると、レンズ設計は、中間フィルフォーマット、例えばＩＧＥＳ若しくはＶＤＡ、又は専用ファイルフォーマットであることが好ましい。既知の欠陥が、Ｚｅｒｎｉｋｅ又は同様な数学的表現にあてはめられた後、数学的表現は光出力によって変換される。
【００７８】
本発明の好ましい実施形態では、反応性混合物、例えばヒドロゲルが硬化して屈折率の空間分布を生成する。この空間分布は、光の強度及び照明スキームと同等であるパターンにおいて作られるのが好ましい。屈折率における差は、放射照度分布に比例し、したがって、光学密度（ＯＤ）に反比例する。材料の屈折率が大きいほど、レンズの様々な光学ゾーンにおける度の差が大きくなる。前述のように、視力の補正を提供するために、瞳孔にわたる屈折率は均一でなければならない。補正されていない眼に見出される、既知の欠陥を補正するために、レンズの特定の既知の領域においてレンズの屈折率を変えることによって、屈折率は正規化される。
【００７９】
本発明のいくつかの実施形態では、エネルギー源の調整は、グレースケールマスクを介して提供されてもよい。グレースケールマスク、マスクは、異なる屈折率（単数又は複数）勾配を形成しながら、鋳型内へ紫外線又は他のエネルギー源の強度を制御する、変動光学密度（ＯＤ）を含むことができる。いくつかの実施形態では、グレースケールマスクを使用して、マスクは、マスク設計内で高い精度を可能にするステレオリソグラフィック技法を使用して作製されてもよい。光エネルギーの浸透をおおよそ可能にするマスクの設計及びマスクの特定の部分の能力は、設計及び製造プロセスの関数であってもよい。マスクの設計は、本件のレンズの所望の設計に一致することが好ましく、ここでは、材料に付与される所望の屈折率は、マスクが、レンズの鋳型キャビティ内に浸透させることができる光エネルギーの量によって決定される。マスクはまた、光の強度によって影響される場合がある。
【００８０】
いくつかの実施形態では、材料の修正は、ＰＶＡ配合物をベースとする材料配合物を含んでもよい。第２材料配合物は、ヒドロゲル主鎖に化学的に付着した屈折率向上変性剤を含有していることが好ましく、これはＰＶＡのヒドロキシ基と反応して環状アセタールになる置換されたベンズアルデヒドであってもよい。マトリックスの全体的な屈折率を上昇させるために、ポリマーマトリックスへの芳香族部分の組み込みが使用されてもよくこれは、異なるポリマー密度の領域間の屈折率差の増加につながる。
【００８１】
屈折率差の更なる増加は、芳香族（aromat）／ポリマーの相互作用によって促進される場合があり、これは高密度領域におけるポリマー鎖のパッキング順序を向上させ、並びにより高度な効率を達成する。変性剤はポリマーマトリックスに化学的に固着しているため、材料は生体適合性のままであり、レンズ製造の後に、更なる抽出工程を必要としない。
【００８２】
他の好ましい実施形態では、架橋可能及び／又は重合可能な流体材料は、１つ又は２つ以上のプレポリマーと、所望により、１つ又は２つ以上のビニル性モノマーの水溶液であり、この水溶液は低分子量の添加剤（例えばＮａＣｌ）を含み、これは架橋可能及び／又は重合可能な流体材料から得られるポリマーと、限定された適合性を呈するが、水とは良好な適合性を示す。限定された適合性によって、添加剤は浸透圧勾配を生じさせ、これは得られるポリマーマトリックスの収縮を誘発する。
【００８３】
ここで図２を参照すると、本発明のいくつかの実施形態の他の態様では、眼科レンズの形成は、計測学及びフィードバックを介して強化されてもよい。図２に示される工程及び関連手順の説明は、例示であり、本発明の範囲を限定する意図はないことに留意されたい。例えば、２０５において、外部のソースから１つ又は２つ以上の所望のレンズパラメーターが入力されてもよい。例示的な目的のために、レンズ表面のモデルは、患者の眼に適用される眼用測定デバイスによってもたらされてもよい。他の実施形態では、理論上の入力パラメーターは、工程２０５の手順を含み得る。かかる入力は、それらをボクセルに基づいたリソグラフィ２１０の入力要件と一致させるためのいくつかの手順で処理される。様々な装置はかかる入力を受信し、いくつかの実施形態では、アルゴリズム方法を用いて、この入力を変換し、ボクセルに基づいたリソグラフィシステム２１１において使用可能なパラメーターに変換する。
【００８４】
図２において更に進み、レンズ前駆体はボクセル単位２０２上で形成されてもよい。レンズ及び／又はレンズ前駆体は、その後に、レンズ前駆体処理手順２３０で処理されて、眼科レンズ２４０の「乾燥」形態を作ることができる。乾燥眼科レンズは、計測工程２５０で測定されてもよい。例示的な目的のために、この工程は、レーザー変位センサの使用を含み得る。
【００８５】
アルゴリズムは、結果とレンズが工程２０５からの入力パラメーターと一致する場合に予測されるものとを比較するために、このデータをアイテム２５１及び２５２に示されるように処理し得る。いくつかの実施形態では、入力パラメーターからの差は処理され、ボクセルに基づいたリソグラフィシステム２１１内のレンズを処理するために使用されるパラメーターを変更する必要性に対応し得る。データ及びパラメーター情報のこのフィードバックループは、アイテム２５３のフィードバックループに示される。また、データは、処理され、レンズ前駆体処理手順２５２に所望されるパラメーターの変更に対応し得る。このシステム２５２内のパラメーターへの所望の変更のフィードバックは、フィードバックループ２５４によって示される。様々なコンピュータによる手順及び制御手順が、メインフレーム、個人用コンピュータ、工業用コンピュータ、及び他の同様のコンピュータ環境を含むが、これらに限定されない、様々なデータ処理機器上で実施され得ることが明らかであり得る。
【００８６】
いくつかの実施形態では、計測工程２５０並びにデータ２５１及び２５２の様々な処理の結果は、生成されるレンズ２４０がアイテム２０５の入力パラメーター前後の一組の許容可能な限界内であるかを判断する能力を含み得る。このレンズに関する判断は、次いでアイテム２５１に示され、ここでレンズは、変更されたパラメーターを有する別のレンズが生成されるように、廃棄され得る。あるいは、レンズは、許容可能な限界内であり、したがって後処理手順及び装置の実施形態で処理するために、工程２６０へ進み得る。次いでレンズが膨張され、取り外された後、これに対してアイテム２７０に示される別の計測手順が行われてもよい。いくつかの実施形態では、この計測の結果は、本実施形態の工程２５０に示されたものと同様のフィードバック実施形態を有し得る。
【００８７】
２８０で眼科レンズ生成物が実現された後、処理フローは、乾燥レンズが破棄されるフローに連結してもよい。その後、全フローは、２９０の条件戻り工程によって示される工程内の工程２０５にループして戻ることが可能である。本発明の様々な生成物に計測工程を実施し、次いで測定結果を組み込み、システムパラメーターを調節するフィードバックループを策定する工程における数々の修正、追加、及び代替が存在することは、当業者にとって明白であり得る。
【００８８】
いくつかのわずかに異なる実施形態では、追加の測定の種類は、全体的な器具フィードバックのために、レンズの品質態様を評価してもよい。非限定的な実施例として、いくつかの実施形態では、生成されたレンズ前駆体内のかかる欠陥の存在を判定するために、微粒子検出スキームが展開されてもよい。かかる判定が、微粒子問題を警告する結果をもたらす場合、いくつかの実施形態では、警告された問題を改善するために、装置及び手順の操作者にフィードバックすることを伴い得る、フィードバックループが存在し得る。数々の計測の実施形態が、測定結果が操作者にフィードバックされる、本発明の範囲内の技術を含み得ることは、当業者にとって明らかであり得る。
【００８９】
ここで、図３を参照して、チャート３００は、Ｅｔａｆｉｌｃｏｎ  Ａ（眼科レンズの製造に一般的に使用される反応性混合物）を含む、例示の反応性混合物における放射線の透過率と、放射線の周波数及び吸光度との関係を図示する。Ｅｔａｆｉｌｃｏｎ  Ａは、重合下で固形及びゲルの一方又は両方を形成することができる、モノマー成分を含む。また、Ｅｔａｆｉｌｃｏｎ  Ａは、より低い波長を含む帯域の紫外線を吸収する吸収体分子、Ｎｏｒｂｌｏｃを含む。放射線３２０の形成は周波数帯域として示されており、固定化放射線３３０もまた周波数帯域として示される。反応開始剤の吸光度は工程３４０として示されており、吸収体３１０はプラトー部分に示される。例示されるＥｔａｆｉｌｃｏｎ混合物中で、溶存気体酸素の存在は、阻害物質の役割を含む。したがって、反応性混合物は、固体及び液体成分の一方又は両方の混合物の配合の両方を含むことができ、溶存酸素濃度を制御する工程を更に含む。本実施形態の説明は例示であり、したがって、本発明の範囲を限定することを意図しない。
【００９０】
反応性混合物を調製する手順では、発生混合物に実施される処理から、追加の実施形態が確定され得る。非限定的な実施例として、混合物は、真空環境にさらされてもよく、これは、特定の溶存気体種の脱離をもたらし得る。別の実施形態では、反応性混合物は、後続の化学線処理工程で使用される前に、多量の混合物を化学放射線への暴露にさらすことによって処理され、したがって混合物中の多重結合成分の度合い及び母集団分布が変化されてもよい。反応性混合物を処理して変化した特性をもたらすための数々の追加の実施形態が可能であり得、結果として生じる混合物は、眼科レンズ前駆体及びレンズを生成するという更なる目的において有用であることが、当業者にとって明らかであり得る。
【００９１】
例示の放射線吸収はチャートに例示されており、ここでは、特定のボクセル要素上に向けられる化学線照射の波長が、反応性混合物に含まれる反応開始剤に積極的に吸収される波長域内であり、かつ吸収体の急速に変化する吸収域にある。また、非限定的な実施例として、反応性混合物は阻害物質を含むと考える。これは、実施形態を実施するための方法として提示されるが、本発明の範囲及び使用され得る他のモデルを限定する意図はない。
【００９２】
微視的レベルでは、提示された例示的な実施形態は、入射化学線照射が、特定の要素内の化学放射線によって開始される化学反応が、高濃度の阻害物質がその促進を阻害する能力を超える速度で起こる非常に限られた局所域を、それ自体の周囲に画定するという特性を有し得る。いくつかの空間光変調器システムが、それぞれの個々の変調要素間に、変調要素と同一の方式で光を反射しない、「不感」空間としてのそれらの表面の部分を有するという事実のため、本実施形態では、形成光学機器表面上に形成される、結果として生じる材料は、隔離されたボクセルに基づいた円柱状要素の形態をとり得、これは、いくつかの実施形態では、互いと結合しない場合があることが明白であり得る。他の実施形態は、架橋材料の重なるボクセルを含むことができる。
【００９３】
化学放射線を形成光学機器に向けるのに使用されるＤＭＤ又は他の装置の制御は、重合されたボクセルの空隙部に作用するために、したがって重合されたボクセル間の重なり又は分離の発生率に作用するために使用されてもよい。
【００９４】
更に、いくつかの実施形態では、阻害物質の濃度は、化学線の照明パラメーターの所望のセット関して空間的伝搬に作用する場合がある。したがって、いくつかの実施形態では、ボクセル要素は、ボクセル要素間のいずれかの境界が重なるように進む化学線活性を画定する。微視的基準でのかかる場合は、個々の円柱状要素は、近隣のボクセルが著しい強度条件を確定する照明条件で、互いに溶け込む傾向にあってもよい。いくつかの実施形態では、光学画像化システムは、個々の円柱状要素が混ざり合うのを促進するために、別の方法の実施形態のように、焦点がぼけるモードで稼動されてもよい。更なる実施形態では、空間中でのレンズ形成光学機器及びホルダの振動又は揺動移動は、ボクセル要素が互いに重なり、連続形状部を形成する、同様の効果を促進し得る。
【００９５】
本発明の他の態様では、特定のボクセル要素の「ＤＭＤスクリプト」は、形成光学機器表面から離れたボクセル要素の深さに反応を生じさせる積分強度又は暴露時間を確定し得ることが明白であり得る。いくつかの特定の例示的な深さで、この条件は、反応度がゲル化点を確定する、反応性混合物の強度促進反応条件を含み得る。
【００９６】
この深さより浅い深さでは、反応生成物は３次元態様を形成していてもよいが、しかしながら、この深さより深い深さでは、反応生成物はゲル化点に到達していない場合があり、生じたある程度のモノマー反応により、依然として周囲の発生反応性混合物より粘稠な構成成分の混合物を含む場合がある。
【００９７】
かかる実施形態では、十分な体積の発生反応性混合物は、反応がゲル化点よりも高い度に発生している領域と、材料が、部分的反応と未反応の混合物であり得る、非ゲル化層を含む領域と、を含む場合がある。いくつかの実施形態の下で、この層のいくつかは、流動性レンズ反応性媒体と称されるものを含み得る。顕微鏡的レベルでは、それは反応性混合物の体積空間内に形成されるが、２つの鋳型部分間の全体の体積には必要ではない。
【００９８】
他の実施形態では、「ＤＭＤスクリプト」は、ゲル化点を超えて反応したボクセル画定層に局所設計要素を画定するのに有用であり得る。この実体は、いくつかの実施形態では、レンズ前駆体形態と見なされ得る。非限定的な実施例として、幅方向の複数のボクセル要素、及び長さ方向の多くのボクセル要素であり、それが含む全てのボクセル要素における低積分強度特性を有する、ＤＭＤスクリプトに本質的に線形の特徴を組み込む効果を熟考する。実施例３に記載される実施形態を使用することによって、非限定的な実施例として、かかる線形特徴がレンズ前駆体形態内に物理的に画定されることが想定される。微視的スケールでは、近隣のボクセル要素は、いくつかの有意なレベルでレンズ前駆体形態における厚さを確定する強度を含み得る。線形特徴の第１の近隣ボクセル要素で、形成厚さは低下し、結果として、ＤＭＤスクリプト内に画定される線形特徴に関連する輪郭特徴をもたらす。
【００９９】
ここで図４を参照すると、本発明のいくつかの実施形態に従って形成されたレンズ４００が図示されている。この例では、レンズは、レンズにわたる複数のボクセル要素に延在する線形特徴４４０を図示する。推測の結果として、本発明の態様は、レンズの光学表面画定形状に加えて、画定され得る形状及び輪郭特徴の多くの異なる実施形態を含むことが明らかであり得る。可能な多くの実施形態の中で、例として、整合機能、隆起表面部分、及びレリーフにおける表面部分が存在し得る。追加の実施形態は、１つ又は２つ以上のプロファイル特徴、例えば、排出チャネル、本質的に放射状経路に沿ってレンズ前駆体形態の縁部に向かって延在する線形特徴を画定する輪郭特徴と、様々な形状及び寸法のウェル又は閉止された穴と、近隣の平均トポロジーと比較して上又は下である切形段差と、レンズ画定域のサブセットにわたる平坦域又は本質的に平らな特徴とを含み得る。これらの実施例は、形成工程手順と関連し得ることが当業者にとって明白であり得る数々の実施形態のうちのいくつかである。
【０１００】
ここで図５を参照して、レンズ形成装置５００は光源５２０を含む。この光源５２０によって作り出される光は、定義された帯域内の波長であり、かつ、強度及び方向において空間的変化の光として生じる。いくつかの実施形態では、波長の定義された帯域は、レンズを形成するのに使用される反応性混合物のための化学放射線を含む。
【０１０１】
空間的強度制御器５３０又はコリメーターは光源３２０からの光を濃縮し、拡散し、並びにいくつかの実施形態ではコリメートし、光５４０のビームを作り、これは強度において高度に均一である。更に、いくつかの実施形態では、ビーム５４０は、それぞれにデジタルのオン又はオフ値を割り当てることができる強度のピクセル要素にビームを分割する、デジタルミラーデバイス（「ＤＭＤ」）５１０に衝突する。それぞれのピクセルにおけるミラーは、光を、２つの経路のうちの１つに反射する。「オン」経路、つまりアイテム５５０は、光子を反応性化学媒体に向かって導く経路である。
【０１０２】
反対に、いくつかの実施形態では、「オフ」状態は、アイテム５１６及び５１７として示される経路間にある、異なる経路に沿って反射されている光を含む。「オフ」経路は、光子を、それに向けられる光子を機能的に吸収し、ないしは別の方法で取り込む、ビームダンプ５１５に、衝突するように向けるために使用されてもよい。
【０１０３】
ここで再び「オン」経路５５０を参照すると、このオン経路に示される光は、実際には、「オン」値に設定され、ピクセル位置に対応する個々の経路に沿って空間的に向けられる、多くの異なる潜在的ピクセル値を含んでもよい。それらのそれぞれの経路５５０に沿ったピクセル要素のそれぞれの時間平均強度は、ＤＭＤ５１０によって画定される空間的格子にわたり、空間的強度プロファイル５６０として示すことができる。あるいは、それぞれのミラーに衝突する一定の強度で、アイテム５６０は、空間的時間暴露プロファイルを示し得る。
【０１０４】
「オン」状態におけるピクセル要素は、それらの対応経路５５０に沿って向けられた光子を有する。いくつかの実施形態では、光ビーム、即ち光線は、焦点合わせ要素によって集光されてもよい。例として、光路５５０は、形成光学機器５８０の光学表面上の表面に実質的に垂直（normal）又は垂直（perpendicular）な方式でそれらが衝突するように、画像化されてもよい。画像化された光は、形成光学機器５８０通って、反応性レンズ混合物５９０を収容するリザーバ内へと進む場合がある。
【０１０５】
所与のピクセル位置に関連する光線の相互作用は、反応性媒体の体積、又はリザーバ５９０に収容される架橋可能な材料、及び形成光学機器５８０の周囲のオン状態のボクセル要素を画定する。反応性媒体の、この体積内の光子は、吸収され、それを吸収する分子内の化学線反応を促進し、分子の略周辺内のモノマーの重合状態変化をもたらし得る。
【０１０６】
本発明のいくつかの実施形態に従って、ボクセルに基づいたリソグラフィシステムは、眼科レンズを形成するために使用されてもおい。そのような形成されたレンズの波面の表面の図式表示は、図４に図示される。
【０１０７】
いくつかの実施形態では、装置５００の周囲を取り囲む、温度及び湿度を含む周囲環境を制御することができる。周囲気体環境の性質は、例えば、気体状窒素のパージを使用することによって制御することができる。パージを実施して、酸素分圧を所定のレベルに増加又は減少させることができる。また、湿度は、オフィス環境より比較的低いレベル等、比較的所定のレベルに維持され得る。
【０１０８】
個々の装置構成要素と相互作用することができる振動エネルギーのレベルは、いくつかの実施形態において制御され得る別の環境パラメーターである。いくつかの実施形態では、大きな塊状支持構造体は、相対低振動環境を画定する。他の実施形態は、能動振動支持体上に支持されるボクセルに基づいたリソグラフィシステム５００のいくつか又は全てを含み得る。一般的に考えられる溶液を制限することなく、空気袋支援ピストンは、絶縁されたシステムへの振動伝達を大幅に減少させることができることが当該技術分野において周知である。振動絶縁の他の標準的手段もまた、本発明の範囲に従い得る。
【０１０９】
装置の環境内の微粒子は、生成物レンズ前駆体及びレンズへの組み込みを含む、様々な種類の望ましくない欠陥モードをもたらし得る。例えば、光学機器経路内で、微粒子は、１つ又は２つ以上のボクセル要素の実際の強度を変調する、及び又は特定のミラー要素の機能に影響を与える可能性がある。これらの理由のため、少なくとも、環境内の微粒子状物質を制御する手段を提供することは、本発明の範囲内である。これを達成するための一実施形態の一実施例は、装置本体の環境内への高性能微粒子エア（ＨＥＰＡ）フィルタの組み込み、及び装置の暴露される部分内で層流様式を確立するのに十分なフィルタに空気を透過させる手段であり得る。そうは言うものの、装置内及びその周囲の微粒子レベルを大いに制限するいかなる実施形態も、本発明の意図される範囲内である。
【０１１０】
本発明に従う光学装置のための詳細な環境支持体の別の態様は、周辺光及びそれを制御するための方式を含む。いくつかの実施形態では、間接照明は、化学放射線を提供し、したがって漂遊光子エネルギー源を制限することが賢明である。
【０１１１】
したがって、いくつかの実施形態では、装置５００は、前述される環境要求事項に従う不透明な材料内に封入することができる。好ましい実施形態は、装置の作動部分が汚染環境照明に暴露されるのを防止するのに十分であり得る、フィルタ処理した光源を装置の環境内に使用すること採用してもよい。
【０１１２】
ここで、図６を参照し、強調形態６００に示される光源を熟考する。光エネルギーの具体的な態様は、いずれかのリソグラフィシステムの基本的な態様と見なすことができ、ボクセルに基づいたリソグラフィ光学装置を使用する本発明の実施形態では、システムの光源の性質は、重要であり得る。
【０１１３】
いくつかの実施形態では、光源６２０が狭いスペクトル帯域の光を提供することが望ましい。例示的な光システム６００の構成要素は、前記狭いスペクトル特性を達成する手段を提供する。好ましい実施形態では、光源は、環境支持体及び筐体６１０内に存在する、発光ダイオード６２０を含む。例示的な目的のために、いくつかの実施形態では、発光ダイオード源６２０は、Ｄｉｇｉｔａｌ  Ｌｉｇｈｔ  Ｌａｂ  Ｉｎｃ．（Ｋｎｏｘｖｉｌｌｅ，ＴＮ  ＵＳＡ）のコントローラを有するモデル、ＡｃｃｕＣｕｒｅ  ＵＬＭ−２−３６５光源を含むことができる。このモデルは、約３６５ｎｍを中心とする狭い帯域の光を放出し、更に、約９ｎｍの半値全幅の特性を有する。したがって、この市販されている光源構成要素は、更なる装置なしで、既に所望の狭い帯域の光を放出する。また、いずれかのＬＥＤ又は他の類似特性を有する発光製品が利用されてもよいことが明らかであり得る。
【０１１４】
別の方法としては、また、例えば、炭素アークランプ又はキセノンランプ６２０等、より広いスペクトルの光源も使用され得る。この別の方法では、広帯域源６２０を利用することができる。光は、環境コンテナ６１０から放出され、光源６２０上に配置されるフィルタホイール６３０を通って進む。フィルタホイール６３０は、異なる動作位置に複数の異なるフィルタ６３１を含むことができ、これらのフィルタ６３１は、例えば、３６５ｎｍを中心とし、類似する１０ｎｍ性能の半値全幅を有する光を透過する帯域通過フィルタを含み得る。本実施形態では、フィルタホイールは、フィルタホイールを異なるフィルタへ動かすことができる電動式作動装置６１０によって作動させることができ、したがって、例示的なボクセルリソグラフィシステム実施形態５００が、複数の選択可能な波長で動作できるようにする。
【０１１５】
数々の別の実施形態は、フィルタ６３１が、広帯域光源６２０に近接して固定方式で実装され、適切な実施形態を提供し得るという、非制限的な観点を含む事実を容易に導き得ることが明らかであり得る。別の態様では、複数の波長能力は、異なる波長に対して個々に作動される環境６１０内に複数のＬＥＤ光源６２０が存在する、別の実施形態から導かれ得る。
【０１１６】
より一般的に、いくつかの実施形態は、様々な種類のフィルタを有するか、又は有さない、例えば、白熱灯、レーザー、発光及び他の類似製品を含む様々な光源を含み得ることが明白である。更に、いくつかの実施形態では、制御されたスペクトル帯域内の光を放出することが可能であり得る光源を利用することができ、これは、本発明の範囲内である。
【０１１７】
光源６００は、更に、安定、均一、かつ比較的強烈であるという特性を有してもよい。いくつかの好ましい実施形態では、ＡｃｃｕＣｕｒｅ  ＬＥＤ光源６２０は、強烈な光を出力し、期間にわたって安定した強度を維持するために、内部監視フィードバックループを含む。
【０１１８】
光源６２０は、定義されたデューティーサイクルで源をオン及びオフに変調することを含む、制御された方式で強度を変調するための手段を含むことができる。したがって、総合期間にわたり、強度制御のこのモードは、選択可能な時間平均強度レベルをもたらす。あるいは、追加の動作実施形態では、ＬＥＤ源は、非時間依存性レベルの放出される強度に対して強度の変化が生じる電圧制御動作モードを介して、強度を変調することができる。
【０１１９】
いずれかの光源構成要素６２０の出力の安定性に関して、光源の環境内の追加の特徴は、追加の実施形態定義を含み得る。本態様の実施例は、冷却システムを介する温度制御手段を含むことができる。他の環境制御は、本発明の意図に従う、異なる実施形態定義を含んでもよい。
【０１２０】
異なる態様では、光源装置６００は、強度を変調するための別の実施形態を提供する。個々の光源６２０は、所与の強度を放出するように動作してもよく、フィルタホイール６３０は、電動式要素６１０によって、減光フィルタ６３１を用いて放出される光を遮断するように作動されてもよい。したがって、ボクセルリソグラフィシステム５００の残りの部分に提供される光の強度は、より低い強度に変調される。一般的な観点から、個々の光フィルタ６３１の設計は、数々の自由度を伴い、それ自体で、異なる実施形態態様を含み得ることが留意され得る。非限定的な実施例として、フィルタは、本体を通る１つの経路に沿って別の経路より高い強度を確定するように、空間的に画定される方式で、強度を変調するように設計されてもよい。第２の非限定的な実施例では、フィルタホイールは、ＤＭＤの動作と同期化され、それによってそれぞれのフィルタホイールセグメントの密度値によって確定されるピクセル及び強度を調整できるようにする方式で、強度を変調するように設計されてもよい。これらの動作モードを組み合わせることによって、別の実施形態が提供され、また、これまでに記載されたように特性の光強度を制御するいかなる手段も、本発明の範囲内であることが明白である。
【０１２１】
いくつかの実施形態では、フィルタホイール６３０は、それが光学システム５００の残りからの照射を遮断するように、フィルタ要素６３１を閉じることができる。下流光学機器構成要素の安定性及び寿命を含む、かかる機能を組み込むことの数々の利点が存在し得る。更に、いくつかの実施形態では、光源構成要素６２０の安定性は、連続的に動作させる場合に改善され得る。遮断フィルタ６３１は、光源６００からの光をなくす必要がある、動作システムの残りの部分の工程を実施する手段を可能にし得る。フィルタホイール６３０の特定の位置が記載されてきたが、実施形態は、光学経路に沿った、他の適切な位置を含んでもよい。
【０１２２】
他の態様において、いくつかの実施形態では、ボクセルに基づいたリソグラフィ光学装置は光を均質化する及び／又はコリメートすることを含んでもよい。本装置は、光源５２０の光出力を受け取り、強度がより均一であり、ＤＭＤ  ５１０上に集光される、出力放射線５４０を生成するように設計される。
【０１２３】
ここで図７を参照すると、いくつかの好ましい実施形態が示されている。上記のように、装置は光源５２０からの光をコリメートすることができ、かつその光を強度に対して均質化することもできる。いくつかの特定の実施形態は、光学構成要素に取り付けられて、光源６２０を出力のコリメーションを実施するために、ＡｃｃｕＣｕｒｅ  ３６５ｎｍのＬＥＤ光源６２０を含む。
【０１２４】
コリメート装置は、コリメーション構成要素及び均質化構成要素を含んでもよい。好ましい実施形態では、光は、光源６２０によって十分にコリメートされ、７００内へ進み、一組のおよそ２．５４ｃｍ（１インチ）の集光光学機器７１０に衝突する。光学７１０は、ＣＶＩ  Ｌａｓｅｒ，Ｉｎｃ，（Ａｌｂｕｑｕｅｒｑｕｅ，ＮＭ  ＵＳＡ）から入手可能なレンズ構成要素を含んでもよい。
【０１２５】
１つ又は２つ以上のレンズ７１０は、源光を光パイプ７２０の上で集光するために使用されてもよい。光パイプ７２０は、入射光を均質化し、空間的強度における不均一性を平滑化する役割をする。光パイプ７２０は、ＵＶ等級アクリル材料で作製される、六角形状の光学機器パイプを含んでもよい。代替の実施形態は、源光の空間的均一性を均質化するための光学装置を含んでもよい。
【０１２６】
光パイプ７２０からの均質化された光出力は、この場合も同様に、例えば、ＣＶＩ  Ｌａｓｅｒ  Ｉｎｃ．（Ａｌｂｕｑｕｅｒｑｕｅ，ＮＭ  ＵＳＡ）から入手可能な種類の、容易に入手できる等級の光学機器要素７３０によって集光される。集光された光は、開口絞り７４０を通って、一組の約５．０８ｃｍ（２インチ）の集光要素７５０に進む。この場合も同様に、これらの集光要素は、例として、Ｔｈｏｒｌａｂｓ  Ｉｎｃ．（Ｎｅｗｔｏｎ  ＮＪ  ＵＳＡ）から入手可能であり得る、標準的な容易に入手できる等級の光学機器である。ここで、集光光学機器７５０の目的は、光を、デジタルミラーデバイス（ＤＭＤ）５１０における光焦点位置に向けることである。これは、ボクセルに基づいたリソグラフィシステムの照明セクション内の光路で完了する。所望の中心波長及びスペクトル帯域幅の強烈かつ均一な光でＤＭＤ  ５１０を照射することにおける同様の目的を達成するために、コリメーター及びホモジナイザー構成要素の態様を変更し得る、数々の実施形態が存在し得、これは、本発明の範囲内である。
【０１２７】
好ましい実施形態では、照明システムアイテム５２０及び５３０は、Ｔｅｘａｓ  ＩｎｓｔｒｕｍｅｎｔｓのＤｉｇｉｔａｌ  Ｍｉｒｒｏｒ  Ｄｅｖｉｃｅ  ５１０を含む能動素子上及びその周囲だけに光（図８の８００で８２０として識別される）を付与する。好ましい実施形態で使用されるＤＭＤは、ＤＬｉ（Ｄｉｇｉｔａｌ  Ｌｉｇｈｔ  Ｉｎｎｏｖａｔｉｏｎｓ、Ａｕｓｔｉｎ  Ｔｅｘａｓ，ＵＳＡ）から入手可能なＤＭＤ  Ｄｅｖｅｌｏｐｅｒ  Ｋｉｔ：ＤＭＤ  Ｄｉｓｃｏｖｅｒｙ  ３０００を用いて入手された。キットは、対角線１．７８ｃｍ（０．７インチ）、任意選択のＵＶ透過窓を有するＴｅｘａｓ  Ｉｎｓｔｒｕｍｅｎｔｓ  ＤＬＰ（商標）ＸＧＡ  ＤＭＤチップ（７６８×１０２４個のミラー）を有する、Ａ  ＤＬｉ  ＤＭＤ  Ｄｉｓｃｏｖｅｒｙ  ３０００ボードを含む。また、コンピュータからＤ３０００へのリンクとしての機能を果たすために、Ｄ３０００ボードと一緒になったＡＬＰ−３高速光処理ボードが含まれる。これらの構成要素は、共に、ボクセルに基づいたリソグラフィシステムのこの好ましい実施形態の、画像化システム構成要素の図８の８００の８１０を含む。ＴＩ  ＤＬＰ（商標）ＸＧＡ  ＤＭＤの詳細な説明は、ＤＭＤ  Ｄｉｓｃｏｖｅｒｙ（商標）３０００  Ｄｉｇｉｔａｌ  Ｃｏｎｔｒｏｌｌｅｒ（ＤＤＣ  ３０００）Ｓｔａｒｔｅｒ  Ｋｉｔ  Ｔｅｃｈｎｉｃａｌ  Ｒｅｆｅｒｅｎｃｅ  Ｍａｎｕａｌとして、ＴＩから入手され得る。
【０１２８】
ＤＭＤデバイス８１０は、照明システムから出る光の強度の空間的変調を提供するように機能することができる。Ｔｅｘａｓ  ＩｎｓｔｒｕｍｅｎｔｓからのＤＭＤは、デバイスの活性領域の空間的格子内に単一アドレス可能位置を構成するマイクロミラー構成要素から光を反射することによって、デジタル方式でこの機能を実施する。したがって、ＤＭＤ８１０から反射され、画像化システム８００を更に下る光の強度は、それ自体は、変化せず、しかしながら、ミラーのデューティーサイクルをオン状態又はオフ状態に制御することによって、単一ピクセル位置から反射される時間平均強度を修正することができる。
【０１２９】
他の実施形態では、放射線をボクセル単位で制御するために、独国のＦｒａｕｎｈｏｆｅｒ  Ｉｎｓｔｉｔｕｔ  Ｐｈｏｔｏｎｉｓｃｈｅ  Ｍｉｃｒｏｓｙｓｔｅｍｅから入手可能なもの等の空間光変調器（ＳＬＭ）を使用することができ、これは、強度の空間的変調機能８１０を含むことができる。ＳＬＭのミラー様の表面は、実際に、それぞれのミラーが、集積回路内にそれ自体の記憶セルを有する、複数の（即ち、数千の）極めて小さな移動可能なミラーで構成されてもよい。所望の強度プロファイルの画像がＳＬＭに送信される際、個々のミラーは、屈曲されるか、又は平らなままである（マイクロミラーを回転又は傾斜させるＴＩ  ＤＭＤとは異なる）。屈曲したミラーから反射される光は、化学線に対して反応性の化学物質混合物を通過又は暴露しないように、散乱される。
【０１３０】
ここで、再び図８を参照すると、上述されるように、能動画像化要素ＤＭＤ  ８１０は、デジタル方式で光を処理し、２つの方向のうちの１つに反射する。オフ状態では、光の反射の経路は、化学線に対して反応性の化学物質混合物の位置を決して向かないことが意図される。確実にするために、外れる方向に向けられる光は、決してこの経路を向かず、画像化システム８００の一部は、光ダンプ８３０を含むことができる。このダンプには、その上へのいかなる入射光も大幅に吸収し、ダンプ自体の更に深くへのみ、反射する、吸収性の高い表面が含まれる。好ましい実施形態では、非限定的な実施例として、これらの表面は、Ｈｏｙａ  Ｉｎｃ．（日本東京）から入手することができる、吸収性ＮＤガラスシートを含む。
【０１３１】
「オン」位置にあるミラー要素から反射される光は、異なる経路をとり、集光要素８４０に向かう。他の光学機器と同様に、これらの約２．５４ｃｍ（１インチ）の集光レンズは、容易に入手できる構成要素であり、例えば、Ｔｈｏｒｌａｂｓ  Ｉｎｃ．（Ｎｅｗｔｏｎ  ＮＪ  ＵＳＡ）から入手可能であり得る。これらの集光レンズ８４０は、反応性モノマー混合物の光反応が生じる形成光学機器上への物体としてのＤＭＤ  ８１０から発する「オン」状態の光を集光する。
【０１３２】
いくつかの実施形態では、光学機器経路の状態を、生成されるレンズの結果から推測するより、直接画像化及び監視する手段を提供することが望ましい。ボクセルに基づいたリソグラフィ光学装置の好ましい実施形態では、この直接監視のための対策が提供される。形成光学機器５８０上に集光され得る光は、ビーム経路内へ、又はその外へ切り替えることができるミラー８５０によって遮られる。そのように向けられる光は、次いで光検出画像化装置８６０上に入射する。
【０１３３】
ここで、図９を参照すると、形成装置９００の構成要素は、ビームを反応性混合物の最終的な目標領域に衝突させる。上述されるように、いくつかの実施形態では、この光は、形成光学機器９３０自体の表面に対して垂直配向に集光されている。９００に図示される実施形態では、光は、形成光学機器９３０の表面にほぼ垂直に衝突し得る。別の実施形態では、レンズは、前記レンズの形成光学機器９３０に対する的確な配向を維持し得る、９２１として示される保定リング又は他の締結デバイスを介して、適切な位置に保持することができる。広義の観点から、本発明は、光が光学表面９３０にわたるボクセル単位を通る経路に関連する数々の実施形態を含むことに留意されたい。
【０１３４】
図９を続けると、リザーバ及び形成光学機器の光ビームに対する相対配向は重要であるため、いくつかの実施形態では、アイテムの相互作用、つまり形成光学機器保定部材９７０と反応性モノマー混合物９５０を収容するリザーバとの相互作用によって示されるように、それらの相互連結位置の機構が画定されてもよい。また、これらの２つの部材間の整合は、リザーバ９５０を形成光学機器表面９３０の中心に置くための正の制御も提供する。また、位置制御は、いくつかの実施形態では、離間リング９５１の機能を用いて向上され得る。同様に、この離間は、リザーバ９５０に添加され得る反応性モノマー混合物体積を制御する。
【０１３５】
また、図９は、反応性モノマー混合物の近隣の周囲気体の制御に関連する追加の実施形態態様を示す。いくつかの実施形態では、酸素の存在は、モノマーの光化学を修正し、光生成フリーラジカルのスカベンジャとしての役割を果たす可能性があるため、いくつかの実施形態では、リザーバ９５０を取り囲む気体から排除する必要がある。これは、図９の９００では、収容容器９９０によって達成される。窒素等の不活性気体を９６０を通して流すことによって、酸素は、環境から排除され得る。更に別の実施形態では、酸素レベルは、収容容器９９０を通って流れる気体９６０内のその希釈物を制御することによって、あるレベルに維持され得る。気体質量流コントローラを使用することによって気体９６０内の酸素の一定の希釈物レベルを達成する標準的手段は、周知の技術であり、本発明の趣旨内の実施形態を含む。
【０１３６】
反応性混合物を収容するリザーバ９５０は、適切な体積の前記反応性混合物の充填されなければならない。いくつかの実施形態では、この充填は、形成光学機器９３０がリザーバ９５０に関連して配置される前に実施され得る。他の実施形態では、形成光学機器９３０及びリザーバ９５０は、収容容器９９０の内部に定置され、気体流９６０によるパージが行われてもよい。また、使用前の反応性混合物の濾過が採用されてもよい。その後、反応性混合物体積９４５は、リザーバ９５０に定量的に充填されてもよい。
【０１３７】
手での充填、自動手段による定量的な流体移送、又はレベル検出器がリザーバ９５０内の反応性混合物９４５の適切なレベルを測定するまでの充填を含む、反応性混合物９４５を移送するための数々の手段が存在し得る。一般的な観点から、適切な量の反応性混合物９４５を移送するための数々の実施形態が実用的であり得、かかる技術は、十分に本発明の範囲内であることが当業者にとって明らかであり得る。
【０１３８】
光処理工程において酸素のレベルが決定的に重要である実施形態では、酸素は、溶存種として反応性モノマー混合物９４５内に存在し得ることが明白であり得る。かかる実施形態では、反応性モノマー混合物９４５内の酸素濃度を確立するための手段が必要となる。この機能を達成するためのいくつかの実施形態は、混合物をパージ気体９６０が通って流れる気体環境中に滞留させることを含む。別の実施形態は、モノマー混合物の供給物中の溶存気体を真空パージする工程と、混合物の分注中に、分注される液体と気体との膜交換によって所望の量の酸素を再構成する工程とを含み得る。本発明の範囲内で、適切な濃度の必要とされる溶存気体を確立するためのいかなる手段も許容可能であることが明白である。更に、より一般的な意味で、他の材料は、溶存酸素の存在下又は不在下で、適切な阻害物質としての役割を果たし得る。更により一般的な観点から、阻害物質の適切なレベルを確立し、維持するための装置を含む実施形態は、本発明の範囲内であると予測される。
【０１３９】
ここで、再び図１０を参照すると、形成光学機器並びにその保持及び位置決め装置１０００の例示的な形状が図示される。形成光学機器を保持する構造体は、平らなガラスディスク１０４０を含むことができる。形成光学機器は、光学的に整合性のある接着剤１０２０の手段によって、ディスクと形成光学機器との間を確実に整合させるためのアセンブリ治具を使用して、位置決め及び締結することができる。ディスクの平らな表面は、垂直方向の正の配向を提供し、一方、位置決めノッチ１０３０及び図示されない他の平らな表面は、放射状及び水平配位置御を可能にすることができる。
【０１４０】
ここで、図１１を参照すると、ディスク１０００は、リザーバシステム１１００と係合する。平らな表面は、３つの係合表面１１３０上にある。いくつかの実施形態は、アイテム１０３０にしっかりと係合し、位置決めする、バネ仕掛けの位置決めピン１１２０を更に含んでもよい。２つの静止位置決めピン（図示せず）は、形成光学機器アセンブリ上の２つの他の平らな表面を嵌合し、組み合わせは、全ての自由度で、形成光学機器アセンブリを運動学的に位置決めするように作用し、したがって形成光学機器を光学光路内に位置決めする、繰り返し可能かつ安定した手段を確実なものにする。また、いくつかの実施形態では、反応性モノマー１１１０を収容するためのリザーバも含むことができる。より一般的な観点から、当業者にとって明らかであり得る、形成光学機器を中心に置くため、かかる光学機器を反応性混合物を収容するリザーバに隣接して位置決めするため、及び１つ又は２つ以上のかかる機能を周囲制御環境内に位置決めするための方法の本明細書に開示される本発明技術に従う、数々の実施形態が存在し得る。
【０１４１】
形成光学機器１０１０は、所望のスペクトルの化学放射線に対して、少なくとも部分的に透過性である。したがって、様々な実施形態では、形成光学機器１０１０は、例として、石英、プラスチック、ガラス、又は使用される反応性モノマー混合物を硬化させるように動作可能である光波長に対して透過性である他の材料の１つ又は２つ以上を含み得る。形成光学機器１０１０の形状は、形成光学機器１０１０を通過する形成化学放射線から生じる重合を介して表面１０１１に沿って形成される、レンズ又はレンズ前駆体に付与される特性を有する、表面１０１１のうちの１つを含むことが更に留意され得る。数々の形状実施形態は、本明細書の本発明技術を含み得る。
【０１４２】
形成光学機器１０１０の設計及び特性に採用され得る様々な実施形態内で、前記部品の個々の実施例は、例えば、その在庫材料、製造、使用履歴、及び／又は他の原因に関連する、固有の態様を有し得る。これらの態様は、ボクセルリソグラフィシステム５００の全体機能と相互作用して、又はせずに、目的とする最終生成物を達成するために必要とされる、ボクセル単位強度プロファイルの固有の光学的オフセット値を生成する。したがって、いくつかの実施形態は、形成光学機器１０１０を調整し、それらを維持し、それらを追跡するための手段を採用し得る。例示的な理由から、一実施形態は、形成光学機器部品１０４０の平らな表面上の識別マークを機械可読フォーマットに符号化するためのものであってもよい。追加の実施形態は、機械可読性のために、例えば、識別マークと共に取り付けられた無線周波数識別デバイスを含むことができる。本発明の意図を含み得る、個々の形成光学機器部品１０４０を識別するための数々の他の実施形態が存在し得る。
【０１４３】
ボクセルに基づいたリソグラフィ光学器具５００の産出生成物は、数々の実施形態を含み得る。一実施形態では、９００に示されるように、反応性生成物９４０は、形成光学機器９３０の表面上に形成されるが、残留反応性化学物質混合物９４５内に依然として存在する。反応性生成物９４０と共に形成光学機器９３０を化学物質混合物９４５から引き離す行為は、装置の追加の実施形態を含み得る。いくつかのかかる実施形態では、形成光学機器９３０及び接着する反応性生成物９４０は、例えば、ロボット自動化の行為の下、化学物質混合物９４５から外へ持ち上げられてもよい。
【０１４４】
ここで、図１２の１２００を参照すると、流動性化学物質除去装置の実施形態のいくつかの態様の略図が示される。ここで、形成光学機器１２５０に取り付けられ、整合プレート１２６０がそれに取り付けられた、レンズ前駆体が示される。組み合わせは、レンズ前駆体の表面が下方を向く実施形態として示される。流動性レンズ反応性混合物１２４０は、重力を含む様々な力の下で移動する。浸出毛管１２１０は、流動性レンズ反応性混合物１２４０に近接して、レンズ表面に沿った低点に溜まった流動性化学物質の周囲及びその中に配置される。好ましい実施形態では、浸出毛管は、ＳａｆｅｃｒｉｔのモデルＨＰ８Ｕ  Ｕｎｔｒｅａｔｅｄ  Ｐｌａｓｔｉｃ  Ｍｉｃｒｏｈｅｍａｔｏｃｒｉｔ管から作製されたポリマー浸出モデルを含んでもよい。別の実施例として、また、毛管は、ガラス、金属、又は流動性化学物質除去の物理及び化学／材料要求に従う他の材料を含んでもよい。
【０１４５】
流動性化学物質１２４０は、毛管１２１０に引き出され、レンズ前駆体から引き出される体積１２４１を形成する。一実施形態では、プロセスは、何度も繰り返され得る。処理後、レンズ前駆体１２００は、レンズ前駆体形態１７５０に接着する、減少した量の流動性レンズ反応性混合物と共に残存する。
【０１４６】
流動性レンズ反応性混合物の様々な態様は、例えば、流動性レンズ反応性混合物内の粘度がより低い構成要素が分離及び除去され得ることを含む、この処理によって影響され得る。化学物質除去プロセスが実施され得る方法に関する、多くの異なる任意選択の実施形態が存在し、全てが本発明の範囲に従うことは当業者にとって明白である。
【０１４７】
広くは、任意選択の実施形態は、化学物質を表面から引き出すための数々の物理的設計を含み得る。異なる実施形態の一実施例は、流動性レンズ反応性混合物１２４０を引き出すことを助長するために、真空システム構成要素１２２０を作動させることであり得る。非限定的な実施例として、別の実施形態には、形成光学機器表面１２５０の形状を模倣する、それらの点に配置される、毛管装置１２１０の重複する複製物が含まれ得る。更に、化学物質除去は、一実施例として、スポンジのような高表面積材料、又は高表面積を有するナノスケール材料を用いて実施することができる。前述される概念を再記述すると、別の実施形態は、形成光学機器９３０上のレンズ前駆体を反応性混合物９４５から引き抜く速度を制御する工程を含んでもよい。本実施形態では、表面張力は、毛管浸出工程との類似性を有し、レンズ前駆体がもたらされる際の流動性レンズ反応性混合物１７１０の残存量の減少をもたらす、化学物質除去の形態を含み得る。一般的な観点から、流動性レンズ反応性混合物１２４０の一部を除去する機能を実施することができる装置の数々の実施形態は、本発明の範囲内の技術を含む。
【０１４８】
好ましい実施形態では、真空システム構成要素１２２０は、上記に定義した機能とは別の機能を有する。複数のレンズ前駆体の処理では、化学物質除去装置１２００は、何度も化学物質除去を実施する。真空システム構成要素１２２０は、毛管装置１２１０を洗浄するため、及び空にするために使用され得る。異なる実施形態は、真空システム構成要素１２２０と併せて、毛管装置１２１０を通って流れるクレンジング溶媒を含んでもよい。
【０１４９】
概して、図１２に示される実施形態１２００は、化学物質除去システムがどのように機能することができるかを図示し、これは、関連する構成要素の詳細及び拡大図に焦点を当てる。比較して、図１３は、好ましい実施形態に採用される器具及びいくつかの代替物の両方の説明を助けるために、化学物質除去システム１３００実施形態のいくつかの実施形態のより全体的な図を示す。図１３の１３００は、毛管除去構成要素１３０５と、形成光学機器上に実装されたレンズ前駆体と、直下を向くレンズ前駆体を有する、類似する構成の形成光学機器プレート１３０６と、を含む。
【０１５０】
ここで、再び図１３を参照すると、浸出毛管１３０６の定置は、別の実施形態では、形成光学機器レンズ前駆体１３０５の中心、つまり中心点から外れた位置に位置決めされ得ることが明白であり得る。アイテム１３３０は、毛管の形成光学機器に対する中央整合をオフセットするために調節が行われる、ｘｙ換算表の単一次元を示す。例として、１３３０は、好ましい実施形態の手動バーニア調節形態で示される。しかしながら、調節は、例えば、ステッピングモータを含む自動化によって実施されてもよく、より一般的に、ＸＹ換算表の位置での自動化器具の様々なレベルの精度向上が本発明内であると予測され得ることが、当業者にとって明らかであり得る。より一般化し、かつ以下の記述を簡略化するために、装置のいずれの移動能力も、考えられる実施形態と同様の自由度を有し得ると考えられ得る。
【０１５１】
アイテム１３２０、つまり形成光学機器保持装置は、形成光学機器を所望の安定した位置に柔軟に保持するための装置を含む。本実施形態では、前述において１０００として示される形成光学機器部品は、ボクセルに基づいたリソグラフィ装置５００内に位置決めされる際と類似する位置スキームを採用し得る。別の実施形態は、形成光学機器保持装置１０００を自動化手段の下で移動できるようにし得る。形成光学機器を保持し、それを流動性化学物質除去装置内の適切な位置に固定する方式の数々の代替方法が、本発明に従う態様を含むことは明白である。
【０１５２】
これまでの記述は、概して、形成光学機器の軸が、水平面に対して垂直であり、重力の方向となるように位置決めされる実施形態を示してきた。別の実施形態は、この垂直配向を中心にある角度で軸を回転できるようにし得る。アイテム１３５０は、形成光学機器軸と重力がなす角度を変化させるための調節手段を含む。かかる変化の基本的な効果は、レンズ前駆体上の流動性物質１７１０が形成光学機器の中心から外れた位置に溜まる傾向となることである。いくつかの実施形態では、中心から外れた位置に流動性媒体を引き出す利点が存在し得る。
【０１５３】
図１３に示される多数のアイテムは、毛管浸出装置１３０６のレンズ前駆体上の流動性媒体に対する垂直方式の位置に関連する。例えば１３４０は、垂直軸に沿って浸出毛管１３０６に取り付けられたステージを移動させることによって、この次元の総調節又は粗調節することを含み得る。更に、１３４５は、同一の移動可能性における微細レベルの調節を含む。同一の軸に沿って、形成光学機器実装ステージ１３１０を毛管浸出装置１３０６に対して調節することが同等に可能である。アイテム１３７０は、この目的のための微調節装置を含む。
【０１５４】
ここで図１４を参照すると、固定化放射線１４６０の源は、ボクセルリソグラフィ光学システム５２０の文脈で前述されるものと類似の光源を含んでもよい。例えば、いくつかの実施形態では、Ｄｉｇｉｔａｌ  Ｌｉｇｈｔ  Ｌａｂ  Ｉｎｃ．（Ｋｎｏｘｖｉｌｌｅ，ＴＮ  ＵＳＡ）のコントローラを有するＡｃｃｕＣｕｒｅ  ＵＬＭ−２−４２０光源１４６０は、固定化放射線１４６１の許容可能な源を構成してもよい。安定化のために適切なパラメーターが実施された後、固定化光源１４６０のコントローラは、レンズ前駆体及び周囲を固定化放射線１４６１に暴露し、一実施形態の眼科レンズを形成する、オン位置に切り替えられる。一般的な観点から、レンズ前駆体形態１７３０表面にわたる流動性レンズ反応性混合物を安定化ないしは別の方法で移動させ、次いでいくつかの方式で固定化放射線で照射する工程に関連する数々の実施形態が存在し得る。
【０１５５】
例として、固定化装置内で処理するためのいくつかの別の実施形態は、流動性材料がウォッシングシステムで洗い落とされている場合がある、レンズ前駆体形態を含み得る。固定形態のこのレンズ前駆体形態が、それ自体で特定の特性のレンズを含み得るため、安定化装置自体を必要としない方式で固定化装置を使用することを伴う実施形態を予測することは、本発明の範囲内である。より一般的な意味で、本発明は、固定化装置が、流動性材料を固定される表面上に事前に流す必要のない材料を固定し得る、材料及び形態の数々の実施形態を予測し得る。例として、ボクセルに基づいたリソグラフィ光学システムを用いて形成され、流動性レンズ反応性混合物１７１０が洗い落とされたレンズ前駆体形態は、依然として、固定化装置がレンズ前駆体をレンズに固定することができる実施形態を含み得る。
【０１５６】
いくつかの実施形態は、流動性レンズ反応性混合物１７１０を移動させるための別の方式を含む。例として、いくつかの実施形態では、流動性レンズ反応性混合物１７１０を含むレンズ前駆体表面を撹拌することによって、流動性レンズ反応性混合物１７１０の移動が可能となり得る。更に、例えば、いくつかの実施形態では、フィルム処理において一般的なスピンコーティング方式で、レンズ前駆体を、中心軸を中心にスピンさせることが望ましい場合がある。
【０１５７】
更に他の実施形態は、レンズ前駆体１４１０を、制御された方式で特定の距離にわたり降下させることによって、流動性レンズ反応性混合物１７１０が受ける重力を最小化する工程を含み得る。追加の実施形態は、上にレンズ前駆体１４１０、形成光学機器１４２０、及びホルダ１４３０が置かれる表面１４５０のレベルを変化させることによって、重力の影響を変えてもよい。異なる表面レベルによって、中心光学機器域内の流動性レンズ反応性混合物１７１０への力が変化し、移動を生じ得る。
【０１５８】
別の態様では、いくつかの実施形態は、流動性レンズ反応性混合物１７１０の化学又は物理変化を含み得る。例として、別の実施形態は、その流動性の性質を変化させる方式で、流動性反応性化学物質の中及び周囲に溶媒材料を導入する工程を含み得る。更に、前記添加材料は、レンズ前駆体系１７００内の構成要素の表面エネルギー特性に影響を与え得る。流動性反応性化学物質１７１０の特性は、固定化とは異なる方式で流動性の性質を変化させるために、固定化照射（fixing irradiation）１４６１を使用することによって、部分的に変化されてもよい。流動性化学物質系の特性を変化させることに関連する、一般的な性質の数々の別の実施形態は、本発明の本質によって予測され得る。
【０１５９】
著しく基本的なレベルで、反応性化学物質混合物９４５の性質は、異なる結果をもたらすことができるように、装置の様々な実施形態と相互作用し得る。安定化及び固定化装置１４００の性質、及び反応性化学物質混合物内の基本的な化学成分を変化させることに由来する実施形態の変形は、本発明の範囲内の実施形態を含むことが明白である。例として、これは、例えば、固定化放射線に採用される波長の変化を含むことができ、固定化放射線の前述の波長における柔軟性を有する装置の実施形態を導入してもよい。
【０１６０】
レンズ前駆体の材料が形成されたレンズの一部を含み得る際、安定化及び固定化装置内及びその周囲の環境制御は、重要な実施形態の態様を含み得ることが、当業者にとって明らかであり得る。例えば、例えばＨＥＰＡフィルタ処理した空気流を用いる、微粒子状物質の制御は、環境制御の一実施形態を含み得る。流動性媒体は、依然として化学放射線に対して感受性があるため、環境に入る漂遊光の制御は、追加の任意選択の実施形態を含む。同様に、湿度及び他の気体汚染物質は、レンズの品質に影響を与え得、これらの環境条件の制御は、別の実施形態を含み得る。当業者にとって明白であり得る環境制御の数々の態様は、本発明の範囲内の技術を含む。
【０１６１】
安定化及び固定化装置を用いていくつかの実施形態のレンズ前駆体を処理する工程の生成物は、眼科レンズと類似するか、又はその形態のデバイスを含み得る。多くの点で、この材料は、最終的な水和眼科レンズに直接関連する特性を有する。しかしながら、多くの実施形態は、レンズ安定化及び固定化の後、実体物を生成し、これは、依然として形成光学機器及びホルダ１４３０上にあり、非水和形態の実体に、様々な形態の計測が実施され得る。
【０１６２】
光学及び材料特性を測定することができる計測装置の実施形態の描写である図１５が示される。計測は、前述の固定化装置１４００を用いる処理の後にもたらされ得る「乾燥」レンズと、水和レンズとの両方に可能であり得ることが明らかであり得る。しかしながら、本実施形態は、好ましくは、依然として形成光学機器に取り付けられたままである、乾燥レンズの計測に焦点を当てる。図１５を参照すると、乾燥レンズ１５２０は、依然として、形成光学機器１５３０及びその適切な保持構成要素１５４０に取り付けられたままである。一実施例では、この保持構成要素１５４０は、共に、レンズの中心軸を中心とする制御された回転運動を可能にする、一対のマウント１５５０及び１５６０に取り付けられる。
【０１６３】
いくつかの実施形態では、Ｋｅｙｅｎｃｅ（日本大阪）によって製造されるモデルＬＴ−９０３０等のレーザー変位センサ１５１０からのレーザー光１５１５の、レンズ試料１５２０の表面との相互作用は、試料１５２０、形成光学機器１５３０、及び保持クランプ１５４０が軸方向に回転する際に生じる。回転サーボモータ１５７０は、上に試料アセンブリが置かれる回転軸受運動ステージを駆動する。回転の安定性のために、レンズ試料アセンブリの質量の中心は、いくつかの実施形態では、可能な限り中心点の近くに設定される。ステージが回転する際、レーザー変位センサ１５１０は、レンズ１５２０の表面の軸リングに沿った複数の点の変位を測定する。ステージが１回転した後、変位センサ１５１０は、方位角方向に移動される。それぞれの移動は、レンズの表面の周囲に新たな円形輪郭を作り出す。本実施形態のプロセスは、レンズ表面全体の輪郭が描かれるまで繰り返される。レンズ試料１５２０のない特定の形成光学機器１５３０を測定することによって、形成光学機器の表面位置は、同等の球状表記形式で取得され得る。この結果を光学機器上にレンズがある結果から減算することによって、レンズ生成物の厚さマッピングがもたらされる。この場合もやはり、取り付けられたＲＦＩＤを介するか、又はいくつかの他の手段による電子フォーマットの形成光学機器の一意的識別は、装置の別の実施形態の形態を含んでもよい。
【０１６４】
この種類のいくつかの実施形態では、試料表面１５２０のセンサ１５１０に対する自由振動変位は、システムによって得られる変位測定値に重大な誤差を含む場合がある。そのため、振動減衰及び絶縁が含まれてもよい。したがって、いくつかの実施形態では、振動効果を最小限にするために、振動絶縁マウント１５９０上に置かれる大きな支持テーブル１５８０を利用することができる。いくつかの実施形態は、他のものほど振動ノイズに対して感受性はない場合もあるが、しかしながら、一般的に言えば、検出器及び試料位置決め装置の様々な形態の周囲の環境への振動エネルギー伝達モードを最小化する様々な方法は、本発明の範囲内の実施形態を含む。
【０１６５】
他の実施形態は、レンズ特性を抽出するために、場合によっては、第１の記載されるレーザー変位センサに加えて、異なる測定システムを採用し得る。非限定的な実施例として、また、いくつかの実施形態では、形成されるレンズ本体の厚さを決定するために、Ｔｈｏｒｌａｂｓ  Ｉｎｃ．（Ｎｅｗｔｏｎ，ＮＪ，ＵＳＡ）から入手可能なＳｈａｃｋ−Ｈａｒｔｍａｎｎ  Ｗａｖｅｆｒｏｎｔ  Ｓｅｎｓｏｒが使用されてもよい。
【０１６６】
一般的な観点から、一部において、及び例えば、屈折率、放射線吸収、及び密度を特性化するための技術を含む、本発明の範囲内であると予測される計測デバイスにおける、相当の多様性が存在し得る。また、例えば、粒子検出を含む、環境制御に関連する態様も、予測され得る。これらの様々な技術は、例示的な計測デバイス１５００と同一の環境及び位置にあってもよく、又は別の実施形態では、汎用システム環境内又は外部に追加の位置を含んでもよい。
【０１６７】
特定の試料の生成に使用される特定の試料及び構成要素に関連する計測及び記号論理学的データの収集、記憶、及び通信は、本発明の一般的な実施形態の原理を含む。これらの様々なデータは、レンズ特性を制御するためのフィードバックループを確立するのに有用であり得る。例示的かつ好ましい実施形態では、レンズ試料１５２０のレーザー変位センサに基づいた計測装置１５００からの出力は、算定システム内に記録及び記憶される。一実施形態１５３０では、個々の形成光学機器部品は、前記試料１５２０の生成に使用される前に、それに対して同様のレーザー変位計測が実施されていてもよい。データ算定システムを使用することによって、変位データは、レンズ試料、したがって生成されるレンズの厚さの表示を生成するために、いくつかの方式で処理され得る。
【０１６８】
算定システム内で、レンズ製作システムにおいて様々な構成要素の開始パラメーター設定点を提供するのに有用なレンズ試料の所望のモデルは、試料１５２０及び形成光学機器１５３０の変位データの操作と比較され得る。いくつかの実施形態では、モデル内の様々な位置点は、画像化システムの個々の構成要素に、好ましい実施形態では、ボクセルに基づいたリソグラフィ光学システム内の特定のボクセル要素にマッピングされるか、又はそれに関連付けられ得る。ボクセルのパラメーターを調節することによって、前の試料と比較して調節された性能を有する次のレンズ又はレンズ前駆体試料が生成され得る。計測及び様々な計算アルゴリズム、並びに装置の数々の実施形態内で、データの取得、処理、モデリング、フィードバック、及び通信の多くの別の実施形態が、本発明の範囲内の要素を含むことは当業者にとって明白である。
【０１６９】
いくつかの実施形態では、生成されたレンズ試料１５２０の厚さに関連する特定のシステムの計測データは、レンズ前駆体形態１７２０の輪郭に設計された整合機能を使用することによって、向上され得る。例示的な図４の４００で、上述されるものと類似する方式で得られる厚さ計測が得られた。この４００の他の記述は、本開示内の他の場所に行われるが、整合の実施形態を理解するために、４４０が熟考され得る。アイテム４４０は、レンズ試料１５２０の表面に、比較的深い輪郭陥凹を含み得る。かかる特徴の設計は、装置内の数々の処理工程を適応させるのに有用であり得る。一実施形態では、アルゴリズム又は計測データの操作によって、４００に関連する信号が抽出又は認識され得る。かかる抽出は、整合機能４４０に関連する位置に近接するか、又はその位置に処理を提供する、様々な装置の部分を位置決めするのに有用であり得る。特にマーキング材料及び輪郭特徴の設計の使用を含む整合機能の数々の異なる実施形態が可能であり、本発明の範囲内の技術を含むことは、当業者にとって明白であり得る。
【０１７０】
計測システム１５００によって生成される計測データを使用するいくつかの別の実施形態は、眼科レンズ生成システム全体又はその中のその様々な装置を診断及び制御するために、このデータを利用してもよい。非限定的な実施例として、形成光学機器１５３０の上述の測定値の記憶は、結果として、かかる測定値の履歴をもたらし得る。別の計算及びアルゴリズム処理によって、表面の特性は、経時的に比較することができ、急激又は一定のいずれかのこれらの特性の変化は、ある種の診断介入が必要であることを知らせるために使用されてもよい。かかる信号変化の多くの考えられる原因の一例は、形成光学機器が、その表面上にある種の表面スクラッチを受けたことを含み得る。追加の実施形態では、得られる計測結果に許容可能な限度を定めるため、及び自動化感知において測定値の有効な変化を知らせるための両方に、統計に基づくプロセス制御アルゴリズムを使用することができる。更なる追加の実施形態は、これらの知らせに自動化手段で対応するために、システム内に自動化のための手段を提供し得る。しかしながら、一般的な観点から、本発明の範囲は、システム全体を診断及び制御するために、例えば、システム１５００からの計測データを使用する、これら及び数々の他の実施形態を予測する。
【０１７１】
これまでに記載された計測装置の実施形態は、概して、「乾燥」レンズ試料１５２０又はその形成光学機器１５３０の計測に関係し得る。より一般的な観点からは、しかしながら、同様の、又は追加の計測の実施形態は、全システム内の他の形態の特性の測定に由来し得る。非限定的な実施例として、「乾燥」レンズは、いくつかの実施形態では、続けて処理され、水和した状態となり得る。かかる新たに画定された試料１５２０の計測は、より一般的な実施形態の記述の一実施例を含み得る。更なる実施例は、レンズ前駆体試料１７００に計測を実施する工程を含んでもよい。したがって、一般的な意味で、本発明の範囲内であると予測され、この種の眼科レンズ生成システム内の生成物を処理する、又は構成するのに使用される、様々な形態の材料に計測を実施するための数々の実施形態が存在する。
【０１７２】
ここで図１６を参照すると、簡略化のために水和装置と称される、これらの工程を実施するための装置の実施形態が１６００で示される。装置には、水和用流体１６１０を収容するための容器が含まれる。レンズ１６３０及び形成光学機器ホルダ１６４０が浸漬される流体浴１６２０、及び浴を一定の温度に維持するための熱制御ユニット１６５０。
【０１７３】
好ましい実施形態では、流体浴１６２０には、表面活性剤が添加された脱イオン（ＤＩ）水が含まれる。当該技術分野において予測され、本発明の範囲に従う、この浴の数々の実施形態が存在する。別の実施形態では、流体浴１６２０には、脱イオン水及び表面活性剤との混合物である場合がある、有機アルコールの混合物が含まれてもよい。したがって、容器１６１０のいくつかの実施形態には、水又は有機アルコール類の体積の収容、及びまた、温度制御ユニット１６５０と流体浴１６２０との間での熱エネルギーの透過に従う材料が含まれ得る。一般性の観点から、レンズの水和及びクレンジングの範囲内に含まれ、本発明技術の実施形態を含み、容器の材料、容器の設計、並びに容器を充填する、及び空にする手段を含む、数々の別の実施形態が存在し得る。
【０１７４】
いくつかの実施形態では、浴の温度は、水和、クレンジング、及び取り出し動作を加速するために上昇される。かかる一実施形態では、温度は、内部感知装置１６５０を有するホットプレートの存在によって維持され得る。より高度な実施形態は、別の照射及び導電性材料並びに装置を含む、流体を加熱するための別の方式を含み得る。また、追加の実施形態は、浴温度を監視し、それを温度帯内に制御するための異なる方式を含み得る。更なるより高度な実施形態は、流体浴の温度をその時点で変化させる又はプログラムする能力を含むことができる。本発明の範囲内の実施形態を含む、水和浴の温度を制御するための数々の実施形態が存在することが、当業者にとって明らかであり得る。
【０１７５】
レンズ１６３０、及び形成光学機器１６４０の流体浴への暴露が進行し、レンズが水和される際、いくつかの実施形態では、レンズ本体は、膨張し、最終的に形成光学機器１６４０から分離する。したがって、いくつかの実施形態は、アセンブリの分離したレンズを捕獲し、適切な保管及びパッケージング手段に入れる手段を含んでもよい。更なる実施形態は、分離したレンズを位置決めし、流体浴媒体１６２０から採取する工程を含んでもよい。あるいは、実施形態は、レンズを流体から隔離するために、排出プロセス中に、前記流体浴媒体１６２０を濾す能力を提供し得る。一般的な観点から、レンズを位置決めし、それを保管手段に入れるように取り扱う数々の方式は、本発明の範囲内に従う実施形態を含む。
【０１７６】
ここで図１７を参照すると、ボクセル１７０４ごとに重合によって形成されたレンズ前駆体１７００が図示されている。いくつかの実施形態は、ボクセルごとの重合により形成された、流体レンズ反応性混合物すなわち架橋可能材料１７０３を含む、レンズ前駆体を含んでもよい。形成中の光学機器、及び反応性材料のボクセルごとの構造体が、反応性混合物のリザーバから取り除かれるとき、ボクセルごとの構造体すなわちレンズ前駆体形態の表面に付着する粘稠材料が存在する場合がある。レンズ前駆体形態と、更なる処理の後に眼科レンズデバイスの一部となりうる、レンズ前駆体形態上の流動性レンズ反応性媒体１７０３との組み合わせは、レンズ前駆体１７００を構成するものである。
【０１７７】
いくつかの実施形態では、レンズ前駆体は、３次元形状をとるが、しかしながら、吸収された反応性媒体の流動性の性質のため、実体は固定された３次元形状を有さない。
【０１７８】
レンズ前駆体は、第１表面１７０１も含んでもよく、これは、例えば光学品質表面を有する基材など、基材１７０５に沿って形成されてもよい。第１表面１７０１は、ゲル化点より上で少なくとも部分的に重合される第１架橋密度を有する媒体の部分を含む。レンズ前駆体１７００は、第２表面１７０２（ほぼゲル化点又はゲル化点よりも低い点で硬化する、第２架橋密度を含む第２表面）を含む。
【０１７９】
いくつかの実施形態では、流動性レンズ反応性媒体は、レンズ前駆体から除去されてもよい。非限定的な実施例として、流動性レンズ反応性媒体は、毛管現象によって除去されてもよい。いくつかの実施形態では、手順は、毛管現象の工程が実施される前に、流動性レンズ反応性媒体の一部が共に留まるように、滞留させる工程を含んでもよい。更なる実施形態では、レンズ表面は、表面軸が重力の方向に対して角度をなすように配置されてもよい。毛管に基づいた装置を用いて流動性レンズ反応性媒体を除去する方法に関連する数々の実施形態が可能であり得、本発明の範囲内の技術を含み得ることが明らかであり得る。
【０１８０】
他の実施形態では、流動性レンズ反応性媒体を除去する手順は、毛管浸出器具とは別の装置を含んでもよい。例えば、流動性媒体を除去するために吸収性表面を使用する工程を含む方法は、いくつかの実施形態を含み得る。追加の実施形態は、詳細に記載されたものではなくむしろ、多くの毛管点を有する装置を使用する方法に関連してもよい。更なる実施形態は、流動性材料を除去するために、レンズ前駆体をスピン処理する方法を含んでもよい。流動性材料の一部を除去するために装置を使用する数々の方法のいずれかは、当業者にとって明らかであり得るように、本発明の範囲内の態様を含み得る。
【０１８１】
レンズ前駆体の上面から材料を除去するための異なる種類の実施形態は、この目的のためにレンズ本体にレリーフ特徴を画定する方法を含み得る。これらの種類の実施形態では、前述項に言及される排出チャネル等の特徴は、比較的低い粘度の流動性媒体が流れ出すようにし、それによって比較的高い粘度の流動性媒体が流れ込むための勾配の低い空間を作り出すための位置を作り出すように設計されてもよい。更なる実施形態では、また、レンズ本体のスピンの使用は、材料が流れ込むためのレリーフ特徴を設計することと併せて、レンズ材料を除去する実施形態も含み得る。異なるレリーフ表面設計の様々な実施形態を含む実施形態はまた、本発明の範囲内の技術を含むことが、当業者にとって明らかであり得る。
【０１８２】
安定化の間、流動性レンズ反応性媒体は、様々な応力下で流れることができ、レンズ前駆体形態の表面に沿って低エネルギー及び比較的安定した状態であることを見出すことができる。
【０１８３】
微視的レベルで、前躯体形態の表面は、ある程度の粗度を局所的に有し得ることが明白であり得る。形成実施形態の数々の態様は、この粗度の性質、かかる場合の一実施例では、反応が開始する周囲で、比較的急激に反応を停止する阻害物質の影響を決定し得る。多くの実施形態では、流動性媒体の表面力、摩擦力及び拡散力、重力、並びに他の適用される力は、合成され、トポグラフィー上全体に流れた滑らかな被膜を生成する。これらの力を決定する手順には、本発明の範囲内の数々の可能な実施形態が存在する。
【０１８４】
いくつかの実施形態では、レンズ前駆体は、流動性レンズ反応性媒体が重力下で流れるように構成されてもよい。これを実施する方法は、流れるのを助長するために、レンズ前駆体を異なる配向に移動させる工程を含み得る。別の実施形態は、レンズ前駆体を、できる限り移動が少ない固定状態に維持することによる、逆の方策を含み得る。更に別の実施形態は、レンズ前駆体を軸を中心にスピンさせることに関連する力を流動性材料に適用する工程を含み得る。いくつかの実施形態では、このスピンは、レンズ前駆体の中央を中心とする軸を中心に実施され得る。別の実施形態では、前記スピンは、レンズ前駆体の上面が、軸点若しくはその逆、又はその間の無数の可能な配向のいずれかを向く間、レンズ前駆体を外軸点を中心に回転させる工程を含み得る。更に他の実施形態では、レンズ前駆体は、重力の影響を最小限にするために、自由落下環境で処理され得る。安定化方法中にレンズ前駆体に流動性力を適用することに関連する数々の方法が存在し得ることは、当業者にとって明白であり得る。
【０１８５】
他の実施形態では、流動性媒体の流動性の性質が、手順によって変性されてもよい。いくつかの実施形態では、流動性媒体の粘度は、希釈又は溶媒化の手段によって変化されてもよい。別の実施形態は、粘度を増加させるために、希釈剤の一部を蒸発させる工程を含み得る。ある程度の化学放射線への暴露は、前記流動性フィルムの粘度を変化させるための更なる方法を含み得る。流動性媒体の粘度を変化させる工程に関連する数々の実施形態が存在し得る。
【０１８６】
更に他の実施形態では、流動性レンズ反応性媒体上の表面エネルギーに関連する力は、手順によって変化されてもよい。いくつかの実施形態では、これは、表面活性剤を発生反応性混合物に添加することを含み得る。別の実施形態では、表面エネルギーを変化させるために、添加剤又は化学反応体がレンズ前駆体に添加されてもよい。
【０１８７】
ここで図１８を参照すると、いくつかの実施形態では、レンズ前駆体１８０１の設計は、流動性レンズ反応性媒体の流体状態を促進するためのアーチファクト１８０２を含んでもよい。非限定的な実施例として、チャネル１８０２は、流動性レンズ反応性媒体をレンズ前駆体域から排出するための手段を含んでもよい。別の実施形態では、急激な輪郭の変化に関連する設計方法は、変化した安定状態を提供するための手順を含み得る。アーチファクトは、レンズ前駆体の領域によって支持可能な、ほとんどあらゆる変形例、形状、及び各種において形成されてもよい。いくつかの実施形態では、アーチファクト１８０３は、例えば１つ又は２つ以上の英数字などのマーキングを含む。他のマーキングは整合マークを含んでもよい。アーチファクト１８０２〜１８０３は、ＤＭＤスクリプトに従って形成される。
【０１８８】
一般的な観点から、これらの様々な実施形態の種類は、安定化を含む手順において、流動性レンズ反応性媒体の完全に安定した、若しくは部分的に安定した、又は不安定な性質を生成する方法の一般性を制限するべきではない。例えば、様々な実施形態の組み合わせ、前記手順の追加の実施形態が当該技術分野の専門家にとって明らかであり得る。
【０１８９】
安定化の手順が実施された後、いくつかの実施形態では、流動性材料に、アイテム１３３として示される次の手順種類、つまり非流動性状態に変換するための固定化が行われてもよい。いくつかの実施形態では、固定化方法中に適用される化学放射線の性質は、代替を含み得る。適用されるスペクトル帯域は、一種の手順の実施形態の一例であり得る。別の実施形態は、適用される放射線の強度を含み得る。別の実施形態では、固定化照射の様々な態様の適用は、時間依存性を含み得る。非限定的な実施例として、初期の波長帯域は、次いで異なる帯域に変化される、第１の刻みを含んでもよい。当業者にとって明らかであり得る、光条件を定義する方法の実施形態の領域は本発明の範囲内である。
【０１９０】
アイテム１３３のいくつかの実施形態では、固定化方法は、照射がとり得る異なる経路を含んでもよい。実施形態の種類の一実施例では、照射は、レンズ前駆体の前面上に生じてもよく、又は別の方法として背面を透過してもよい。更に他の実施形態は、いくつかが、レンズ前駆体実体に化学放射線の異なる効果を生成するように、おそらく異なる光特性を有する、複数の照射源に由来し得る。更なる実施形態は、放射線以外のエネルギー形態を含む固定化方法に由来し得る。一般的に、固定化工程を含み得る数々の方法は、本発明の範囲内である。
【０１９１】
いくつかの実施形態では、固定化が生じた後、レンズ前駆体１３０の処理が完了する。いくつかの実施形態では、この完成生成物は、更に処理される。この生成物種類は、図１のブロック１２０に示される技術の種類の良例、つまり前躯体の別の形成を含む。非限定的な実施例として、固定化の生成物がボクセルに基づいたリソグラフィ手順に導入され戻される場合、第２の層の処理が発生し得る。この複数の段階がある態様は、多くの任意選択の実施形態の手順をもたらす。
【０１９２】
いくつかの実施形態では、複雑なレンズ前駆体は、非限定的な実施例として、眼科レンズ表面が画定される第１の工程と、輪郭特徴が表面に追加される第２の工程とを含み得る、複数回の通過から形成され得る。手順の他の複雑な実施形態は、前述の実施例のいくつかのように、例えば、レンズ前駆体形態に沿った隔離されたボクセル列を生成する、条件付きのボクセルに基づいたリソグラフィシステムの第１の通過を含み得る。次いで第２のボクセルに基づいたリソグラフィ工程は、ボクセル列と異なる特性の材料との間の特徴を充填する工程を含み得る。続くシステムの第３の通過は、眼科レンズを画定し得る。それぞれが記載される多くの異なる可能な実施形態を有し得る、システムを複数回通過する一般的な手順は、全てが本発明の範囲内である非常に多くの異なる実施形態を含み得ることが明らかであり得る。
【０１９３】
いくつかの他の実施形態では、レンズ前駆体は、流動性反応性媒体をレンズ前駆体形態上に適用することによって形成され得る。例えば、ボクセルに基づいたリソグラフィ方法によって形成されるレンズ前駆体は、流動性レンズ反応性媒体を除去する極端な方法として、ウォッシングシステムにさらされてもよい。レンズ前駆体形態は、ウォッシング方法に由来する。いくつかの実施形態では、次に、このレンズ前駆体形態に対して、次の流動性レンズ反応性媒体をその表面に適用する方法が行われてもよい。いくつかの実施形態では、次の流動性媒体を表面に適用する手順は、アイテム１１７に記載される実施形態と類似する方法で、レンズ前躯体を浸漬し、除去する工程を含んでもよい。ここで、結果として生じるレンズ前駆体は、モノマー及び多重結合分子の異なる分布を有してもよく、又はいくつかの実施形態では、レンズ前駆体形態を形成するために使用されるものとは異なるポリマーの化学的性質を有してもよい。流動性レンズ媒体を様々なレンズ前駆体形態の実施形態上に適用するための手順を含む数々の実施形態が、本発明の範囲内の技術を含むことは当業者にとって明白であり得る。
【０１９４】
別の組の実施形態では、レンズ前駆体形態は、ボクセルに基づいたリソグラフィとは異なる手段により形成されてもよい。第１の非限定的な実施例では、レンズ前駆体形態を形成するための原理としてステレオリソグラフィを使用することによって、様々な実施形態が可能であり得る。いくつかの実施形態では、このステレオリソグラフィによって形成されるレンズ前駆体形態は、１１７の取り出し手順からの流動性レンズ反応性媒体を有し得るが、他の実施形態は、流動性レンズ反応性媒体をステレオリソグラフィによって形成された基部に適用する工程を含み得る。レンズ前駆体形態を決定し、次いでそれを言及された方法で使用するために、マスクに基づいたリソグラフィプロセスを使用することによって、別の実施形態が可能であり得る。更なる実施形態は、眼科レンズの製造に一般的な標準注型成型プロセス、及び次いで言及された方法でレンズ前駆体を形成する工程によって形成されるレンズ前駆体形態の使用を含み得る。レンズ前駆体形態を形成する数々の実施形態は、レンズ前駆体を形成する方法を含み得ることが明白であり得る。
【０１９５】
ここで図１９を参照すると、十分な化学放射線への未反応の重合化架橋可能な材料の暴露によって、レンズ前駆体から形成されているレンズ１９０１が図示されている。実施形態は、重合された架橋可能な材料の複数のボクセルを含む第１部分１９０３と、架橋可能な材料のゲル化点より上で重合される、架橋可能な材料の層状体積を有する第２部分１９０２と、を含むことができる。
【０１９６】
化学放射線１９０４の源は、例えば、架橋可能な材料に対して化学線であるには十分な強度及び波長の放射線１９０５を生成する光源１９０４を含むことができる。いくつかの実施形態では、化学放射線は、光線の複数の源の点を含んでもよい（図示したとおり）。他の実施形態は、化学線を提供する単一の光源を含んでもよい。
【０１９７】
いくつかの実施形態では、形成された、又は固定されたレンズは、形成光学機器の表面に付着されてもよい。いくつかの実施形態では、レンズは水和されてもよい。水和は、例えば溶液（水溶液又はＩＰＯ溶液など）内での浸漬を含んでもよい。いくつかの実施形態では、水溶液は摂氏６０度〜９５度の温度に加熱されてもよい。
【０１９８】
いくつかの実施形態では、浸漬方法は、レンズ本体を洗浄し、それを水和させてもよい。水和のプロセスでは、レンズは膨張し、それが付着している形成基材から剥離してもよい。
【０１９９】
〔実施の態様〕
（１）  眼科レンズであって、
光吸収性成分を含む、重合された架橋可能な材料の複数のボクセルを含む光学ゾーン部分であって、前記光学ゾーン部分が、第１屈折率を含む第１領域及び第２屈折率を含む第２領域を含む、光学ゾーン部分と、
前記架橋可能な材料のゲル化点を超えて重合された架橋可能な材料の層状体積を含む、第２部分と、を含む、眼科レンズ。
（２）  架橋可能な材料の１つ又は２つ以上の更なる層状体積を含む、第３部分を更に含む、実施態様１に記載の眼科レンズ。
（３）  前記架橋可能な材料の層状体積が、ボクセル単位以外の架橋パターンを含む、実施態様１に記載の眼科レンズ。
（４）  第１部分が光吸収性成分を更に含む、実施態様１に記載の眼科レンズ。
（５）  前記第２部分がシリコーンを更に含む、実施態様１に記載の眼科レンズ。
（６）  前記第１部分が第１光学表面を含む、実施態様４に記載の眼科レンズ。
（７）  前記第２部分が第２光学表面を含む、実施態様６に記載の眼科レンズ。
（８）  第１部分が、化学放射線の複数の放射線への反応性混合物の暴露によって形成され、前記化学放射線の各放射線は、１つの源から生じており、前記各放射線は、前記架橋可能な材料の所定の部分に向けて所定の時間反射される、実施態様３に記載の眼科レンズ。
（９）  前記架橋可能な材料の所定の部分に向けて所定の時間反射される化学放射線の各放射線が、所定の波長を含む、実施態様８に記載の眼科レンズ。
（１０）  前記第２部分が、複数点から生じる化学放射線の複数の放射線への反応性混合物の暴露によって形成される、実施態様９に記載の眼科レンズ。
【０２００】
（１１）  前記重合された架橋可能な材料のボクセルによって形成された１つ又は２つ以上の凹領域を更に含む、実施態様８に記載の眼科レンズ。
（１２）  前記重合された架橋可能な材料のボクセルによって形成された１つ又は２つ以上の凸領域を更に含む、実施態様８に記載の眼科レンズ。
（１３）  前記ゲル化点を超えて重合された架橋可能な材料の層状体積が、前記重合された架橋可能な材料のボクセルによって形成された前記凹領域に対して等角である、実施態様１１に記載の眼科レンズ。
（１４）  前記ゲル化点を超えて重合された架橋可能な材料の層状体積が、前記重合された架橋可能な材料のボクセルによって形成された前記凹領域に対して非等角である、実施態様１１に記載の眼科レンズ。
（１５）  前記各ボクセルが、第１端部及び第２端部を含み、前記ゲル化点を超えて重合された架橋可能な材料の層状体積を含む前記第２部分が、本質的に前記各第２端部を被覆する、実施態様１に記載の眼科レンズ。
（１６）  前記第１部分が、基材の表面に沿って形成された非隣接パターンを含む、実施態様６に記載の眼科レンズ。
（１７）  前記レンズの外周部が、非円形を本質的に含む、実施態様６に記載の眼科レンズ。
（１８）  前記レンズの外周部が、楕円形を本質的に含む、実施態様６に記載の眼科レンズ。
（１９）  前記レンズがトーリック形状を含む、実施態様６に記載の眼科レンズ。
【図１】
0005567116.tif 000002
【図２】
0005567116.tif 000003
【図３】
0005567116.tif 000004
【図４】
0005567116.tif 000005
【図５】
0005567116.tif 000006
【図６】
0005567116.tif 000007
【図７】
0005567116.tif 000008
【図８】
0005567116.tif 000009
【図９】
0005567116.tif 000010
【図１０】
0005567116.tif 000011
【図１１】
0005567116.tif 000012
【図１２】
0005567116.tif 000013
【図１３】
0005567116.tif 000014
【図１４】
0005567116.tif 000015
【図１５】
0005567116.tif 000016
【図１６】
0005567116.tif 000017
【図１７】
0005567116.tif 000018
【図１８】
0005567116.tif 000019
【図１９】
0005567116.tif 000020